(57)【特許請求の範囲】
【請求項１】
遊技制御動作を中心統括的に担う主制御部と、前記主制御部からの制御コマンドに基づいて、払出装置を駆動して払出動作を実行する一方、外部機器から受ける払出指令に基づいて前記払出装置を駆動して前記払出動作を実行するサブ制御部とを有する遊技機であって、
前記主制御部及び／又は前記サブ制御部には、電源遮断後もメモリの記憶内容を保持可能なバックアップ電源が供給され、電源復帰後に、電源遮断前の動作を再開できるよう構成される一方、電源復帰時に所定の操作スイッチがＯＮ操作されると、前記メモリの記憶内容が消去されるよう構成され、
前記払出動作として、一区切りの払出個数を払出すべく前記払出装置を駆動し終わる毎に、実際の払出個数との不足個数を把握し、２個以上に設定された所定の規定値を超える不足個数が検出される場合には、その検出回数をカウントする計数手段と、
前記検出回数が、所定の監視時間内に所定の上限値を超えるか否かを判定し、上限値を超えた場合には、前記払出動作を停止する共に、異常事態の発生を報知する報知手段と、
前記報知手段が機能した後、前記所定の操作スイッチがＯＮ操作されたか否かを判定し、ＯＮ操作された場合には、メモリの記憶内容を維持した状態で、前記払出動作を再開する再開手段と、を有して構成されていることを特徴とする遊技機。
【請求項２】
前記規定値を超える不足個数が最初に検出されてからの経過時間を監視し、前記監視時間内に前記検出回数が上限値に達しない場合には、前記検出回数をゼロに戻す消去手段を更に設けた請求項１に記載の遊技機。
【請求項３】
前記監視時間は、３分以内に設定されている請求項２に記載の遊技機。
【請求項４】
前記払出装置の停止状態では、前記払出装置は、非駆動状態である自由回転状態に設定される請求項１〜３の何れかに記載の遊技機。
【請求項５】
一区切りの払出個数を払出すべく払出装置を駆動し終わる毎に、払出装置は、駆動状態である拘束状態に設定されて所定時間停止するよう駆動制御されている請求項１〜４の何れかに記載の遊技機。
【請求項６】
一区切りの払出個数を払出すべく払出装置を駆動し終わる毎に、実際の払出個数との一致を判定し、払出不足が認められると、その後は、次の払出を検出するまで、通常時の払出速度より遅い速度で払出動作を実行するリトライ手段を更に設けた請求項１〜５の何れかに記載の遊技機。
【請求項７】
前記リトライ手段の動作に先行して、払出装置を予め逆方向に回転させる逆転動作を設けた請求項６に記載の遊技機。
【請求項８】
前記逆転動作に先行して、払出装置を拘束状態で所定時間停止するよう構成されている請求項７に記載の遊技機。
【請求項９】
前記リトライ手段が払出装置を一ステップ歩進させる毎に、その歩進回数をカウントし、この歩進回数が上限値に達すると、前記払出動作を自由回転状態で停止させると共に、異常事態の発生を報知するよう構成されている請求項６に記載の遊技機。
【発明の詳細な説明】
【技術分野】
【０００１】
本発明は、遊技球や遊技メダルなどの遊技媒体を使用する遊技機に関し、特に、払出停止状態からの復帰操作を簡易化すると共に、違法な遊技媒体の払出を簡易に防止した遊技機に関する。
【背景技術】
【０００２】
遊技媒体として遊技球を使用する弾球遊技機は、ＣＲ(Card Reader)機と現金機とに大別されるが、現状のＣＲ機では、遊技機に隣接する球貸し機に現金を投入した上で、遊技機の球貸しスイッチを押すと、通常５００円分の遊技球が、遊技機から貸出されるようになっている。なお、本明細書では、「貸出す」との用語を使用するが、遊技機から遊技球が払出される点では、貸出し動作も、賞球動作も全く同じである。
【０００３】
１回のスイッチ操作で貸出される遊技球の個数は、通常の弾球遊技機では１２５個である。ここで、５００円が消費される場合について、球貸し動作を具体的に説明すると、弾球遊技機に隣接する球貸し機は、遊技機での球貸しスイッチのＯＮ操作に対応して、当該遊技機に対して、合計１２５個の球貸し動作を指示する。球貸し動作の指令は、例えば、ＢＲＱ信号の送信によって実現され、１個のＢＲＱ信号を受けた遊技機では、所定個数（例えば２５個）の遊技球を払出すので、遊技機において球貸しスイッチをＯＮ操作すると、球貸し機から遊技機にＢＲＱ信号が５回送信されることになる。
【０００４】
所定個数の遊技球が払出されたか否かは、遊技球の通過路に配置された計数スイッチで検出され、一単位の払出動作の後に、所定個数の遊技球が検出されない場合には、続く最初の遊技球の払出を検出するまで、ゆっくりした払出動作が実行され（リトライ処理と称す）、その後は、通常の速度で不足分の残りの遊技球が払出される。
【先行技術文献】
【特許文献】
【０００５】
【特許文献１】特開２００６−２５５２０８公報
【特許文献２】特開２００６−２２３５８５公報
【特許文献３】特開２００５−１４３５６４公報
【発明の概要】
【発明が解決しようとする課題】
【０００６】
ところが、このような玉貸し動作を悪用した違法行為も懸念されるところである。例えば、計数スイッチを適宜に非動作／動作状態に制御可能に改造した遊技機においては、２５個の払出時に、計数スイッチを非動作状態に制御する違法が可能となる。すると、払出不足分が２５個であると判定した遊技機では、続く最初の１個をゆっくり払出すが、違法改造された遊技機では、最初の１個の払出時だけ計数スイッチを動作状態に制御する一方で、その後の２４個の払出動作時には計数スイッチを非動作状態に制御することが考えられる。
【０００７】
このような場合、追加の２５個の払出動作を終えた段階で、遊技機は、払出不足分が２４個であると判定するので、リトライ処理を経て、さらに２３個の玉貸し処理を繰り返すことになる。そのため、２５個の払出動作（非検出）→リトライ処理による１個の払出動作（検出）→２４個の払出動作（非検出）→リトライ処理による１個の払出動作（検出）→２３個の払出動作（非検出）→リトライ処理による１個の払出動作（検出）→２２個の払出動作（非検出）→・・・・・・２個の払出動作（非検出）→リトライ処理による１個の払出動作（検出）→１個の払出動作（非検出）→リトライ処理による１個の払出動作（検出）、が繰り返されることになり、合計で２５＋２４＋・・・＋２＋１＝３２５個の遊技球が余分に払出されてしまうことになる。
【０００８】
そこで、かかる違法行為を排除するため各種の対策が採られているが（例えば、特許文献１）、簡易性に欠けるという問題がある。
【０００９】
ところで、違法動作を検知した場合には、直ちに払出動作を停止して、問題の遊技機の位置まで係員を急行させる必要がある。なお、払出動作を停止するのは、違法遊技の検出時に限らず、球詰りなどの異常動作時でも同様である。そして、異常状態が係員によって解消された後には、払出動作を再開する必要があるが、従来の遊技機では、係員が専用ボタンを操作するのが通例であり、機器構成上の簡易性に欠けていた。すなわち、異常復旧のための機器構成としては、従来、特許文献２や特許文献３の発明が知られている程度であり、究極的に簡易化された構成は知られていない。
【００１０】
本発明は、上記の問題点に鑑みてなされたものであって、簡易な構成で玉貸し処理作を悪用した違法行為を排除することができ、払出停止状態からの復帰にも余分の部材を要しない遊技機を提供することを目的とする。
【課題を解決するための手段】
【００１１】
上記の課題を解決するため、本発明は、遊技制御動作を中心統括的に担う主制御部と、前記主制御部からの制御コマンドに基づいて、払出装置を駆動して払出動作を実行する一方、外部機器から受ける払出指令に基づいて前記払出装置を駆動して前記払出動作を実行するサブ制御部とを有する遊技機であって、前記主制御部及び／又は前記サブ制御部には、電源遮断後もメモリの記憶内容を保持可能なバックアップ電源が供給され、電源復帰後に、電源遮断前の動作を再開できるよう構成される一方、電源復帰時に所定の操作スイッチがＯＮ操作されると、前記メモリの記憶内容が消去されるよう構成され、前記払出動作として、一区切りの払出個数を払出すべく前記払出装置を駆動し終わる毎に、実際の払出個数との不足個数を把握し、２個以上に設定された所定の規定値を超える不足個数が検出される場合には、その検出回数をカウントする計数手段と、前記検出回数が、所定の監視時間内に所定の上限値を超えるか否かを判定し、上限値を超えた場合には、前記払出動作を停止する共に、異常事態の発生を報知する報知手段と、前記報知手段が機能した後、前記所定の操作スイッチがＯＮ操作されたか否かを判定し、ＯＮ操作された場合には、メモリの記憶内容を維持した状態で、前記払出動作を再開する再開手段と、を有して構成されている。
【００１２】
本発明では、一区切りの払出動作完了時における不足検出回数が所定回数を超えるか否かを問題にするので、例えば、不足個数を累積して判定する場合に比べて、異常事態を素早く検出することができる。また、メモリの記憶内容を消去させるための操作スイッチをＯＮ操作するだけで停止中の払出動作を再開できるので、余分な構成部材を要しない簡易性がある。なお、一区切りの払出個数は固定値である必要はない。
【００１３】
本発明は、好ましくは、規定値を超える不足個数が最初に検出されてからの経過時間を監視し、所定の監視時間内に前記検出回数が上限値に達しない場合には、前記検出回数をゼロに戻す消去手段を更に設けるべきである。ここで、更に好ましくは、前記監視時間は、３分以内に設定されるべきであり、このような構成であれば、違法行為を迅速に発見できる。また、前記規定値は、２個以上に設定されるのが好ましい。１個程度の不足はノイズなどの影響も考えられるので、２個以上で所定個数未満に設定するのが好ましく、更に好ましくは規定値を３個とすべきである。
【００１４】
好ましくは、前記払出装置の停止状態では、前記払出装置は、非駆動状態である自由回転状態に設定されるべきである。この場合は、係員による対応が容易である。
【００１５】
一方、一区切りの払出個数を払出すべく払出装置を駆動し終わる毎に、払出装置は、駆動状態である拘束状態に設定されて所定時間停止するよう駆動制御することで、払出途中の払出媒体を読み落とすことがない。
【００１６】
また、一区切りの払出個数を払出すべく払出装置を駆動し終わる毎に、実際の払出個数との一致を判定し、払出不足が認められると、その後は、次の払出を検出するまで、通常時の払出速度より遅い速度で払出動作を実行するリトライ手段を設けるのが好ましい。ここで、前記リトライ手段の動作に先行して、払出装置を予め逆方向に回転させる逆転動作を設けると更に好ましい。また、前記逆転動作に先行して、払出装置を拘束状態で所定時間停止するよう構成するのも好適である。
【００１７】
前記リトライ手段が払出装置を一ステップ歩進させる毎に、その歩進回数をカウントし、この歩進回数が上限値に達すると、前記払出動作を自由回転状態で停止させると共に、異常事態の発生を報知するよう構成するのも好ましい。
【発明の効果】
【００１８】
上記した本発明によれば、簡易な構成でありながら、玉貸し処理作を悪用した違法行為を排除することができる。また、払出停止状態からの復帰にも余分の構成部材を必要としない簡易性がある。
【図面の簡単な説明】
【００１９】
【図１】実施例に係るパチンコ機の全体構成を示すブロック図である。
【図２】払出制御基板の周辺回路（ａ）とステッピングモータの動作原理（ｂ）を図示したものである。
【図３】払出装置の概略構成を図示したものである。
【図４】払出装置による払出動作を説明するタイムチャートである。
【図５】払出制御基板の内部構成を示すブロック図である。
【図６】払出制御基板のメインルーチン（ａ）と、受信割込みルーチン（ｂ）を示すフローチャートである。
【図７】タイマ割込みルーチン（ａ）と、電源監視処理（ｂ）を示すフローチャートである。
【図８】球貸し処理を説明するタイムチャートである。
【図９】カード通信処理の一部説明するフローチャートである。
【図１０】カード通信処理の別の一部説明するフローチャートである。
【図１１】球貸し処理を説明するフローチャートである。
【図１２】球貸し／賞球切換え処理を説明するフローチャートである。
【図１３】球貸し検出処理を説明するフローチャートである。
【図１４】賞球処理を説明するフローチャートである。
【図１５】賞球検出処理を説明するフローチャートである。
【図１６】払出エラー処理を説明するフローチャートである。
【図１７】モータ処理を説明するフローチャートである。
【図１８】モータ駆動開始処理（ａ）とモータ駆動中処理（ｂ）を説明するフローチャートである。
【図１９】モータ停止中処理を説明するフローチャートである。
【図２０】モータリトライ中処理を説明するフローチャートである。
【図２１】データ出力処理を説明するフローチャートである。
【図２２】リトライ処理を説明するタイムチャートである。
【図２３】満杯球詰り状態を検出する検出スイッチを例示したものである。
【図２４】実施例に係るパチンコ機の斜視図である。
【図２５】図２４のパチンコ機の側面図である。
【図２６】図２４のパチンコ機の遊技盤の正面図である。
【図２７】図２４のパチンコ機の背面図である。
【発明を実施するための形態】
【００２０】
以下、実施例に基づいて本発明の実施形態を詳細に説明する。図１は、実施例に係るパチンコ機の全体回路構成を示すブロック図である。図中の破線は、主に、直流電圧ラインを示している。
【００２１】
図示の通り、このパチンコ機は、ＡＣ２４Ｖを受けて各種の直流電圧やシステムリセット信号ＳＹＳや電圧降下信号ＡＢＮを出力する電源基板７と、遊技制御動作を中心統括的に担う主制御基板１と、主制御基板１から受けた制御コマンドＣＭＤ’に基づいてランプ演出及び音声演出を実行する演出制御基板２と、演出制御基板２から受けた信号を各部に伝送する演出インタフェイス基板３と、演出インタフェイス基板３から受けた制御コマンドＣＭＤ”に基づいて液晶ディスプレイＤＩＳＰを駆動する液晶制御基板４と、主制御基板１から受けた制御コマンドＣＭＤに基づいて払出モータＭを制御して遊技球を払出す払出制御基板５と、遊技者の操作に応答して遊技球を発射させる発射制御基板６とを中心に構成されている。
【００２２】
ここで、払出制御基板５は球貸し機２２に接続されており、球貸し機２２は、投入された現金の範囲で、払出制御基板５による球貸し動作を実現している。このような動作を実現するため、払出制御基板５は、球貸し機２２から２種類の制御信号ＢＲＤＹ，ＢＲＱを受ける一方、球貸し機２２に対して、２種類の制御信号ＥＸＳ，ＰＲＤＹを出力している。
【００２３】
発射制御基板６には、発射ハンドル３０が接続されており、その回転位置に対応する強度ＶＬの駆動電流が、ロータリソレノイドＳＬ１に間欠的に供給されることで遊技球が発射されている。なお、球送りソレノイドＳＬ２が、同じタイミングで間欠的に通電されることで、遊技球が連続的に発射位置に供給され、１分間に１００個程度の速度で遊技球が発射される。
【００２４】
主制御基板１、演出制御基板２、液晶制御基板４、及び払出制御基板５には、ワンチップマイコンを備えるコンピュータ回路がそれぞれ搭載されている。そこで、主制御基板１、演出制御基板２、液晶制御基板４、及び払出制御基板５に搭載された回路、及びその回路によって実現される動作を機能的に総称して、本明細書では、主制御部１、演出制御部２、液晶制御部４、及び払出制御部５と言うことがある。なお、演出制御部２、液晶制御部４、及び払出制御部５の全部又は一部がサブ制御部である。
【００２５】
主制御部１は、払出制御部５に対して制御コマンドＣＭＤと、係員操作信号ＣＬＲ／ＳＯＬＶＥとを一方向に送信する一方、払出制御部５からは、遊技球の払出動作を示す賞球計数信号や、払出動作や球貸し動作の異常に係わるステイタス信号ＣＯＮを受信している。係員操作信号ＣＬＲ／ＳＯＬＶＥは、主制御部１に設けられた操作スイッチＳＷがＯＮ操作されたことを示す信号である。
【００２６】
本実施例の操作スイッチＳＷは、操作されたタイミングに応じて別の意味を持っており、遊技機の電源投入時に操作されると、係員操作信号が、ＲＡＭクリア信号ＣＬＲとして機能する。一方、電源投入後に操作された係員操作信号は、異常解除信号ＳＯＬＶＥと機能する。ここで、ＲＡＭクリア信号ＣＬＲとは、主制御部１や払出制御部５のＲＡＭの記憶内容を消去させることを指示する信号であり、有意レベルのＲＡＭクリア信号ＣＬＲを受けた主制御部１及び払出制御部５では、バックアップ電源ＢＵによって保持されているＲＡＭの記憶内容を、各々、強制的にクリア処理する。
【００２７】
一方、異常解除信号ＳＯＬＶＥとは、払出制御部５において発生した計数エラーが係員によって解消されたことを示す信号である。なお、本実施例における計数エラーとは、「所定の払出動作完了時に、所定個数（３個）以上の払出個数の不足状態が、所定時間（２分）以内に所定回数（３回）以上発生したこと」を示しており、違法行為の可能性も有り得る異常事態である。このような計数エラーは、殆ど発生しないところ、本実施例では、そのような特殊な事態のために専用のスイッチを設けない構成を採っている。
【００２８】
すなわち、電源投入時以外には何の役目も果さないＲＡＭクリア信号用の操作スイッチＳＷを、異常解除信号用の操作スイッチに兼用することで機器構成上の簡易化を図っている。このように、本実施例では、係員が操作可能なスイッチは単一であり、後述するリトライエラーなどの解消状態については、ワンチップマイコンによって自動認識される構成を採っている。
【００２９】
主制御部１から出力される制御コマンドＣＭＤ，ＣＭＤ’は、コマンドの種別を示すＭＯＤＥデータと、具体的内容を特定するＥＶＥＮＴデータとが、それぞれ８ビット長で構成されている。そして、払出制御部５に伝送される制御コマンドＣＭＤは、払出すべき遊技球の数を指示する賞球数指定コマンドと、払出動作の停止や再開を指示する動作指定コマンドとに大別され、賞球数指定コマンド（例えば、８Ａ××Ｈ）は、ＥＶＥＮＴデータ（＝××Ｈ）によって賞球数を指定している。一方、動作指定コマンドには、払出停止コマンドと払出再開コマンドとが用意されている。なお、以下の場合も含め、Ｈは、１６進数を意味する添字である。
【００３０】
図１に示す通り、主制御部１と払出制御部５には、電源基板７から、直流５Ｖのバックアップ電源ＢＵが供給されている。したがって、営業終了や停電により交流電源２４Ｖが遮断された後も、ワンチップマイコン内部のＲＡＭのデータは保持される。本実施例では、少なくとも数日は、ＲＡＭの記憶内容が保持されるよう設計されている。
【００３１】
また、電源基板７は、交流電源２４Ｖの遮断時に、主制御部１及び払出制御部５に、電圧降下信号ＡＢＮを出力するよう構成されている。電圧降下信号ＡＢＮは、この実施例では、各ワンチップマイコンの割込み端子ではなく、入力ポートに供給されている。そして、主制御部１及び払出制御部５では、フラグセンス方式によって、電圧降下信号ＡＢＮのレベル降下を把握した後、必要なデータをＲＡＭに退避している。そのため、上記したバックアップ電源ＢＵの作用とあいまって、主制御部１と払出制御部５では、営業開始時や停電からの復旧時に、電源遮断前の動作を再開できることになる。
【００３２】
図２（ａ）は、払出制御基板５の周辺回路を図示したものである。図示の通り、払出制御部５は、電源基板７から直流電源電圧（バックアップ電源ＢＵを含む）だけでなく、交流電源の電圧降下を示す電圧降下信号ＡＢＮと、システムリセット信号ＳＹＳなどを受けている。一方、払出制御部５（ワンチップマイコン）のＲＡＭをクリアするためのＲＡＭクリア信号ＣＬＲについては、係員操作信号ＣＬＲ／ＳＯＬＶＥとして、主制御部１から供給される。
【００３３】
払出制御部５は、球貸し機２２とも接続され、球貸し動作に係わる各種の制御信号（ＢＲＤＹ，ＢＲＱ，ＥＸＳ，ＰＲＤＹ）を送受している。ここで、ＢＲＤＹ信号は、遊技者が球貸しスイッチ３２ｂをＯＮ操作した球貸し動作中であることを球貸し機２２から遊技機に伝達する信号である。また、ＢＲＱ信号は、一単位分（通常２５個）の貸出し動作を、球貸し機２２から遊技機に要求する信号である。
【００３４】
図８に関して後述するように、ＢＲＤＹ信号がＨレベルの状態でＢＲＱ信号が立下ると、２５個の球貸し動作が開始され、その球貸し動作が終了した時にＢＲＤＹ信号がＬレベルであるか、又は球貸し動作の終了後の所定時間内に、ＢＲＤＹ信号がＬレベルに変化すると、もはや球貸し動作が実行されない。したがって、ＢＲＤＹ信号を「球貸し許可指令」と考えることができ、また、ＢＲＱ信号を「球貸し開始指令」であると考えることができる。すなわち、ＢＲＤＹ信号がＨレベルである限り、球貸し動作が許可されることになり、実施例の場合には、この許可区間内でＢＲＱ信号が立下ると、これに呼応して２５個の遊技球の払出動作が開始される。
【００３５】
一方、ＰＲＤＹ信号は、球貸し機２２に、遊技機が球貸し動作可能であることを伝達する信号である。また、ＥＸＳ信号は、一単位分（通常２５個）の貸出し動作を終了したことを、球貸し機２２に伝達する信号である。
【００３６】
ところで、払出制御部５は、球貸し機２２から直流電圧１８Ｖを受けており、この電圧値を正常に受信できることを条件に、発射制御基板６に許可信号ＣＴＬを出力して発射動作を許可している。
【００３７】
図２に戻って説明を続けると、払出制御部５には、球貸し動作に関連する３桁の数値を示す残金表示部３２ａと、球貸しスイッチ３２ｂと、返却スイッチ３２ｃとを有する回路基板が設けられており、払出制御部５は、この回路基板と球貸し機２２の間に位置して必要な信号を中継している。そして、球貸しスイッチ３２ｂが一回押圧される毎に、球貸し機２２が預かっている現金が５００円消費され、残金表示部３２ａの表示内容が−５されると共に１２５個の遊技球が払出される。
【００３８】
払出制御部５は、遊技球の入賞に伴う賞球として、或いはまた、球貸し機２２で清算される貸球として、所定数の遊技球を払出す必要がある。そこで、ステッピングモータたる払出モータＭに４種類の駆動パルスデータΦ１〜Φ４を出力し（ユニポーラ２−２相励磁）、払出モータＭの回転に伴って払出される遊技球を、左右の計数スイッチＲＳＷ，ＬＳＷで検出するようにしている（図３（ａ）参照）。
【００３９】
図３（ａ）に示す通り、この実施例では、遊技機に貸出される遊技球は、遊技球の入賞に伴う賞球の場合と同一の経路を通過して遊技機に払出され、払出し個数は、共通する左右の計数スイッチＲＳＷ，ＬＳＷで検出されるようになっている。なお、図２（ａ）及び図５に示す通り、左右の計数スイッチＲＳＷ，ＬＳＷの信号は、払出制御部５に供給されると共に、主制御基板１にも、ステイタス信号ＣＯＮの一部として伝送される。
【００４０】
また、払出制御部５には、計数スイッチの断線状態や、補給切れ状態や、満杯球詰り状態を検出するスイッチ信号が供給される。ここで、計数スイッチの断線状態とは、２つの計数スイッチＲＳＷ，ＬＳＷの断線状態だけでなく、２つの計数スイッチＲＳＷ，ＬＳＷの短絡状態も含む概念であり、専用のインタフェイスＩＣ（２ＳＴＢ１５５ＡＡ）によって生成される（図５参照）。
【００４１】
一方、補給切れ状態とは、払出回転体ＲＯ（図３）の上流側から供給される遊技球が途絶え、賞球動作や球貸し動作が事実上不可能となる状態を意味する。また、満杯球詰り状態とは、払出回転体ＲＯの下流側が一杯となり、それ以上の払出しが事実上不可能となる下皿満杯状態を意味する。
【００４２】
満杯球詰り状態を検出する検出スイッチは、例えば、可動片ＬＶＲを有するリミットスイッチであり、押圧部材ＢＤＹが可動片ＬＶＲを押すことで、その位置を遊技球が通過し終わるまでＯＮ状態を維持するよう配置されている（図２３参照）。但し、賞球動作であれ、球貸し動作であれ、正常に遊技球が払出されている限り、多数の遊技球が連なって移動している状態でも、押圧部材ＢＤＹが揺動を繰り返すことで、検出スイッチが、ＯＮ状態とＯＦＦ状態とを繰り返すようになっている。
【００４３】
後述するように、本実施例では、賞球動作時には、原則として、１個当たり６４ｍＳの速度で遊技球を払出すので、検出スイッチの出力は、これと同一速度でＯＮ／ＯＦＦ状態を繰り返す。但し、遊技球の移動が停滞して、０．５秒以上ＯＮ状態が継続した場合には、満杯球詰り状態が発生したと判定している。
【００４４】
このような満杯球詰り状態や、補給切れ状態や、計数スイッチ断線状態が発生すると、計数エラー状態の場合と同様に、その後の払出回転体ＲＯの回転動作を停止して、異常状態が解消されるまで待機する構成を採っている。そして、満杯球詰り状態、補給切れ状態、及び計数スイッチ断線状態については、異常事態が解消されたことを検出スイッチが検出することで自動的に解消される。
【００４５】
一方、計数エラー状態は、所定の払出動作完了時に、所定個数以上の払出個数の不足状態が、所定時間以内に所定回数以上発生した異常状態を意味し、違法行為の可能性もあるので、係員が操作スイッチＳＷをＯＮ操作しない限り解消されない。したがって、係員は、異常解消のための処置を採った後、操作スイッチＳＷをＯＮ操作するが、この時の係員操作信号は、異常解除信号ＳＯＬＶＥを意味し、払出制御部５は、有意レベルの異常解除信号ＳＯＬＶＥを受けることを条件に、払出動作を再開する。なお、係員の操作には、払出回転体ＲＯの操作軸５３（図３（ａ）参照）を回転させて球詰まりを解消させる行為も含まれる。
【００４６】
本実施例の払出装置４３は、払出モータＭと払出回転体ＲＯとを主たる構成要素とするので、念のため、払出モータＭと払出回転体ＲＯとの接続関係を説明する。図３（ａ）に示す通り、払出モータＭの回転軸に設けられた駆動ギア５０と、払出回転体ＲＯに設けられた従動ギア５２との間には、中間ギア５１が設けられ、これら３つのギアが歯合することで、払出回転体ＲＯが回転するよう構成されている。なお、払出回転体ＲＯの回転軸には、係員が操作可能な操作軸５３を突出させている。
【００４７】
駆動ギア５０と従動ギア５２は、そのギア比が１対２に設定されており、したがって、払出モータＭの回転角度に対して、払出回転体ＲＯの回転角度は１／２倍となる。また、本実施例では、中間ギア５１を介して、駆動ギア５０と従動ギア５２を連結するので、払出モータＭと払出回転体ＲＯの回転方向を一致させることができると共に、払出モータＭと払出回転体ＲＯの配置位置を比較的自由に設定することができる。したがって、例えば、係員が操作軸５３を回転させて球詰まりを解消させる場合にも、中間ギア５１の直径分だけ、広い作業空間を使用することができる。なお、払出モータＭと払出回転体ＲＯは、操作軸５３の方から見て、時計方向に回転する（図３（ｃ）（ｄ）参照）。
【００４８】
図３（ｃ）（ｄ）に示す通り、本実施例では、払出回転体ＲＯには、それぞれ遊技球３個を保有可能な１２０°間隔の保持溝が、半ピッチ６０°ずれて左右に形成されている。この払出回転体ＲＯの回転に伴い、保持溝に保持された遊技球は、払出回転体ＲＯが６０°回転する毎に、左右から交互に１個ずつ下方に放出される。この実施例では、払出モータＭのステップ角が７．５°であるため、通常時には４ｍＳ毎に変化する駆動データΦ１〜Φ４が１６ステップ出力されると、払出モータＭが１２０°回転する。この時、払出回転体ＲＯが６０°回転することによって、１個の遊技球が払出されるよう設計されている。
【００４９】
図４は、以上のような払出動作の原理を示すタイムチャートである。４ｍＳ毎に変化する駆動データΦ１〜Φ４によって、払出回転体ＲＯの回転位置が、モータ位置（０）→モータ位置（１）→モータ位置（２）→モータ位置（３）のように歩進され、これが繰り返されることで遊技球が払出されることを示している。この実施例では、賞球動作としては、通常、１６×４ｍＳ＝６４ｍＳを要して遊技球を一個払出すよう設定されている。したがって、一単位２５個の遊技球を払出すのに、１．６秒以上の時間を要するが、遊技球が円滑に払出されている限り、満杯球詰り状態と誤判定されることはない。
【００５０】
図５は、払出制御部５の内部構成を図示したものである。図示の通り、払出制御部５は、主制御部１から制御コマンドＣＭＤを受ける入力バッファ１０と、各種のスイッチ信号や制御信号ＣＬＲ／ＳＯＬＶＥ，ＡＢＮを受ける第１入力ポート１３Ａと、第２入力ポート１２と、第３入力ポート１３Ｂと、Ｚ８０ＣＰＵ相当品を内蔵するワンチップマイコン１４と、入出力ポートのチップセレクト信号を生成するデコーダ１５と、第１出力ポート１６と、第２出力ポート１７と、第１出力ポート１６から受けた駆動信号を払出モータＭに供給するトランジスタ群（オープンコレクタ）１８とを中心に構成されている。
【００５１】
図示の通り、第３入力ポート１３Ｂは、球貸し機２２からフォトカプラとインバータとを経由して、２つの制御信号ＢＲＤＹ，ＢＲＱを受けている。２つの制御信号ＢＲＤＹ，ＢＲＱは、フォトカプラを経由しているので、ノイズの影響を受けにくい。すなわち、制御入力信号ＢＲＤＹ，ＢＲＱは、ダイオードのカソード端子に供給されるので、フォトトランジスタの出力には、ノイズの影響が及ばない。また、フォトトランジスタの出力には、リンギング、オーバシュート、アンダーシュートなども発生しない。なお、これらの関係は、制御出力信号ＰＲＤＹ，ＥＸＳについても同様である。
【００５２】
また、第１入力ポート１３Ａには、２つの計数スイッチ信号、断線検出信号、補給切れ検出信号、及び、満杯球詰り検出信号が供給されている。図示の通り、第１入力ポート１３Ａと、２つの計数スイッチＬＳＷ，ＲＳＷとの間に配置されたインタフェイスＩＣ（２ＳＴＢ１５５ＡＡ）を経由して、計数スイッチＬＳＷ，ＲＳＷのＯＮ／ＯＦＦ状態を示すＴＴＬレベルの計数スイッチ信号が出力されるよう構成されている。
【００５３】
このインタフェスＩＣには、電源監視回路と、短絡監視回路と、断線監視回路とが内蔵されており、２つの計数スイッチＬＳＷ，ＲＳＷが断線状態であるか、短絡状態であるか、或いは、このインタフェイスＩＣへの供給電圧が異常である場合には、ＴＴＬレベルの異常検出信号を出力するようになっている。そして、本実施例では、この異常検出信号を、第１入力ポートに供給している。なお、本明細書では、便宜上、この異常信号を断線検出信号と称している。
【００５４】
また、第１入力ポート１３Ａには、電源基板７から電圧降下信号ＡＢＮと、主制御基板１から係員操作信号ＣＬＲ／ＳＯＬＶＥとが供給されている。なお、この実施例では、入力バッファ１０、第１と第２と第３の入力ポート１２，１３Ａ，１３Ｂは、７４５４１相当品のバスバッファで構成され、デコーダは、７４１３８相当品で構成されている。また、出力ポート１６，１７は、７４２７３相当品のＤ型フリップフロップで構成されている。
【００５５】
第２入力ポート１２には、バスバッファ１０を経由して、主制御基板１から制御コマンドＣＭＤが供給されるが、主制御基板１は、制御コマンドＣＭＤの供給に合わせてストローブ信号ＳＴＢが供給される。このストローブ信号ＳＴＢは、ＣＰＵコアの割込み端子(maskable interrupt)に供給されるので、これに応じて、払出制御基板５では受信割込みルーチンが起動し、制御コマンドＣＭＤを取得するようになっている。
【００５６】
第１出力ポート１６のｂｉｔ３〜ｂｉｔ０からは、（Φ４，Φ３，Φ２，Φ１）＝０１０１→０１１０→１０１０→１００１→０１０１→・・・の駆動パルスデータが時間順次に払出モータＭに出力される（図２（ｂ）参照）。
【００５７】
また、第１出力ポート１６のｂｉｔ４には、リトライエラー又は計数スイッチ断線エラーを示すＬＥＤ駆動信号が出力され、異常ランプＥＲ１が点灯される。リトライエラーとは、リトライ処理において払出モータＭをゆっくり歩進させても、上限回数を超えて遊技球の払出を検出できない異常を意味する。一方、計数スイッチ断線エラーとは、計数スイッチＲＳＷ，ＬＳＷの異常を示す断線検出信号が検出されたことを意味する。
【００５８】
一方、第１出力ポート１６のｂｉｔ５には、計数エラーを示すＬＥＤ駆動信号が出力され、異常ランプＥＲ２が点灯される。先に説明した通り、計数エラーとは、所定個数以上の払出個数の不足状態が、所定時間以内に所定回数以上発生した異常を意味する。また、第１出力ポート１６のｂｉｔ７には、不図示のウォッチドッグタイマ回路のクリア信号が所定時間毎に出力されるようになっている。
【００５９】
第２出力ポート１７のｂｉｔ０〜ｂｉｔ２からは、主制御部１に対して、払出不足エラー信号と、補給切れ信号と、満杯球詰り信号とが出力される。なお、払出不足エラー信号は、リトライエラーの発生時、又は計数エラーの発生時に出力される。一方、第２出力ポート１７のｂｉｔ６，ｂｉｔ７からは、球貸し機２２に対して、制御信号ＰＲＤＹ，ＥＸＳが出力される。この制御信号ＰＲＤＹ，ＥＸＳは、インバータとフォトカプラとを経由して球貸し機２２に伝送される。制御信号ＰＲＤＹ，ＥＸＳも、フォトカプラを経由して伝送されるのでノイズなどの影響を受けにくい。
【００６０】
図６〜図７は、図５に示す払出制御部５で実行されるプログラムを説明するフローチャートである。払出制御部５の動作は、概説すると、電源投入後に開始されて無限ループ処理で終わるメインルーチン（図６（ａ））と、主制御部１からのストローブ信号ＳＴＢによって起動される受信割込み処理ルーチン（図６（ｂ））と、一定時間（２ｍＳ）毎に開始されるタイマ割込みルーチン（図７（ａ））とで構成されている。
【００６１】
図６（ｂ）に示すように、受信割込みルーチンでは、第２入力ポート１２から制御コマンドＣＭＤを取得して、これをＲＡＭのコマンドバッファ領域に格納した後（ＳＴ１０１）、ＣＰＵを割込み許可状態（ＥＩ）に設定して処理を終える（ＳＴ１０３）。
【００６２】
次に、メインルーチン（図６（ａ））の動作内容を説明する。電源基板７から電源電圧が供給されると共に、システムリセット信号ＳＹＳが供給されると、ＣＰＵは、自らを割込み禁止状態（ＤＩ）に設定した後（ＳＴ１）、ワンチップマイコン１４各部の初期設定を行う（ＳＴ２）。この初期設定動作には、ＣＰＵのスタックポインタの初期設定も含まれ、スタックポインタは、ＬＩＦＯ方式のスタック領域の最底部を指すことになる。本実施例ではスタック領域のデータがバックアップ電源ＢＵによって電源遮断後も維持されるが、ステップＳＴ２の処理によって、スタック領域が開放されることになる。
【００６３】
次に、第１入力ポート１３Ａから取得したデータに基づき、操作スイッチＳＷがＯＮ操作されたか否かを、係員操作信号のレベルに基づいて判定する（ＳＴ３）。このタイミングは、電源投入時であるから、係員操作信号は、ＲＡＭクリア信号ＣＬＲとして機能する。遊技ホールの営業開始時であって、特に係員が操作スイッチＳＷをＯＮ操作した場合にはＲＡＭクリア信号ＣＬＲが供給されるが、停電からの復旧時を含め、通常はＲＡＭクリア信号ＣＬＲが供給されない。
【００６４】
そして、ＲＡＭクリア信号ＣＬＲが供給されない場合には、電源監視処理（図７（ｂ））のステップＳＴ２３７の処理で記憶されるバックアップフラグＢＡＫＦＬＧの値をチェックする（ＳＴ４）。そして、ＢＡＫＦＬＧ＝５ＡＨであれば、次に、電源監視処理のステップＳＴ２３８の処理と同様のチェックサム演算を実行してサム値を算出し（ＳＴ５）、これが、ＲＡＭ領域に記憶されているサム値と一致するか否かを確認する（ＳＴ６）。そして、メインルーチンで算出したサム値と、電源監視処理（ＳＴ２３）で記憶されたサム値とが一致する場合には、電源遮断前の処理を再開できると思われるので、バックアップフラグＢＡＫＦＬＧをクリアした後（ＳＴ７）、ＣＰＵを割込み許可状態に設定して（ＳＴ１０）、無限ループ処理を繰り返す。
【００６５】
ＣＰＵが割込み許可状態になると、その後のタイマ割込みによって、図７（ａ）に示す定期処理（ＳＴ８２〜ＳＴ９２）が実行されるが、ここまでの処理では、バックアップフラグＢＡＫＦＬＧを除いて、ＲＡＭの記憶内容は全く変更されていないので、その後は、電源遮断前の処理が正しく再開されることになる。
【００６６】
一方、（１）ステップＳＴ３の判定の結果、ＲＡＭクリア信号ＣＬＲがＯＮ状態であるか、（２）ステップＳＴ４の判定の結果、バックアップフラグが５ＡＨ以外の値であるか、或いは、（３）ステップＳＴ６のサムチェックで異常が認められた場合には、ＲＡＭ領域が全てクリアされる（ＳＴ８）。
【００６７】
そして、払出リトライフラグを５ＡＨに設定した後（ＳＴ９）、ＣＰＵを割込み許可状態に設定して（ＳＴ１０）、無限ループ処理を繰り返す。ステップＳＴ８の処理で、ＲＡＭ領域が全てクリアされたことにより、その後は、図７（ａ）に示すタイマ割込み処理によって、初期状態から動作が開始される。また、払出リトライフラグが５ＡＨに設定されたことにより、最初の賞球動作の１個目は、モータ動作ステイタス＝０３Ｈの状態で実行される。
【００６８】
続いて、図７（ａ）に示すタイマ割込みルーチンについて説明する。このタイマ割込みルーチンは、メインルーチンの無限ループ処理を中断させて、一定時間毎（２ｍＳ）に実行される。
【００６９】
図７（ａ）に示す通り、本実施例のタイマ割込みルーチンは、払出モータＭを回転駆動するデータ出力処理（ＳＴ９２）と、払出モータＭに出力するべき駆動データを用意するモータ処理（ＳＴ９１）と、払出モータＭの回転により払出された遊技球を検出するデータ入力処理（ＳＴ８４）と、球貸し機との通信プロトコルに応じてカード動作ステイタスを進行させるカード通信処理（ＳＴ８７）と、データ入力処理による払出検出結果に基づいて、所定個数の払出動作が実行されたかを管理する球貸し処理（ＳＴ８８）とを含んでいる。なお、賞球処理（ＳＴ８９）では、主制御部１から受けた制御コマンド（賞球数指定コマンド）に基づく賞球動作を実現するが、球貸し処理（ＳＴ８８）とは、事実上、排他的に機能するようになっている。
【００７０】
以下、タイマ割込みルーチンを具体的に説明する。最初に、割込み禁止状態（ＤＩ）になっているＣＰＵを、割込み許可状態（ＥＩ）に戻す（ＳＴ８２）。この処理の結果、タイマ割込み処理の間にも、図６（ｂ）の受信割込みがかかり、主制御部１からの制御コマンドＣＭＤは、読み落しなく取得されることになる。なお、この実施例では、メインルーチンの無限ループ処理では、ＣＰＵは、実質的には何の処理もしていないので、タイマ割込み時にＣＰＵのレジスタを保存する必要はない。したがって、図７（ａ）のタイマ割込み処理の最初には、一群のＰＵＳＨ命令が存在しないし、タイマ割込み処理の最後には、一群のＰＯＰ命令も存在しない。
【００７１】
ステップＳＴ８２の処理が終われば、次に、電源監視処理が実行される（ＳＴ８３）。具体的には、図７（ｂ）に示す通りであり、先ず、第１入力ポート１３Ａを通して、電圧降下信号ＡＢＮを取得し（ＳＴ２３０）、それが異常レベルでないか判定する（ＳＴ２３１）。そして、異常レベルでない場合には、異常回数カウンタをゼロクリアして処理を終える（ＳＴ２３２）。
【００７２】
一方、電圧降下信号ＡＢＮが異常レベルである場合には、異常回数カウンタを＋１して（ＳＴ２３３）、計数結果が上限値ＭＡＸを超えていないかを判定する（ＳＴ２３４）。これは、第１入力ポート１３Ａからの取得データが、ノイズなどの影響でビット化けしている可能性があることを考慮したものであり、所定回数（例えば、上限値ＭＡＸ＝５）連続して異常レベルを維持する場合には、交流電源が現に遮断されたと判定する。
【００７３】
ステップＳＴ２３４の判定の結果、異常回数カウンタの計数値が上限値ＭＡＸに一致した場合には、その後の受信割込みを禁止するべく、先ず、ＣＰＵを割込み禁止状態に設定する（ＳＴ２３５）。次に、異常回数カウンタをゼロクリアした後（ＳＴ２３６）、バックアップフラグＢＡＫＦＬＧに５ＡＨを設定する（ＳＴ２３７）。次に、メインルーチンのステップＳＴ５の場合と、全く同じ演算を、全く同じ作業領域（ワークエリア）に対して実行し、その演算結果を記憶する（ＳＴ２３８）。なお、実行される演算は、典型的には８ビット加算演算である。そして、その後はワンチップマイコンをＲＡＭアクセス禁止状態に設定した後（ＳＴ２３９）、無限ループ処理を繰り返しつつ直流電源電圧が降下するのを待つ。
【００７４】
続いて、ステップＳＴ８４のデータ入力処理について説明する。データ入力処理では、断線検出信号などの異常信号の確認と、異常解除信号ＳＯＬＶＥを意味する係員操作信号の確認処理が実行される。また、計数スイッチ信号を取得して、払出モータＭの回転によって、遊技球が実際に払出されたか否かを確認する処理が実行される。先に説明した通り、入賞などに伴う賞球動作によって遊技球が払出されるだけでなく、球貸し機２２が関連する球貸し動作によっても、同様に遊技球が払出される。
【００７５】
以下、具体的に説明すると、データ入力処理（ＳＴ８４）では、第１入力ポート１３Ａの８ビットデータを取得し、前回の取得値との対比によって信号レベルが変化したか否かを判定し、レベル変化が検出された場合には、エッジデータとして、ＲＡＭ領域のワークエリアＥＤＧに保存する。図６（ｃ）に示す通り、計数スイッチＬＳＷ，ＲＳＷなどのスイッチ信号がレベル変化したことが、ワークエリアＥＤＧに記憶される。なお、ワークエリアＬＶＬには、今回取得した計数スイッチＬＳＷ，ＲＳＷからのスイッチ信号のビット反転データが保存され、次回のデータ入力処理において参照される。
【００７６】
このようにしてデータ入力処理（ＳＴ８４）が終われば、次に、８ｂｉｔ長又は１６ｂｉｔ長の各種タイマについての減算処理（−１）が行われる（ＳＴ８５）。なお、無限ループ処理が２ｍＳ毎に実行されることにより、減算タイマの１単位時間は２ｍＳを意味する。
【００７７】
タイマ減算処理が終われば、次に、受信割込み処理によって取得される制御コマンドの解析処理が行われる（ＳＴ８６）。コマンド解析処理では、受信した制御コマンドＣＭＤが賞球数指定コマンドであるか否かが判定される。そして、賞球数指定コマンドを受信した場合には、そのコマンドによって特定される賞球数を、ＲＡＭのワークエリアに設けられた全賞球数カウンタに加算する。なお、この全賞球数カウンタの値は、賞球処理（ＳＴ８９）におけるステップＳＴ２６（図１４）の処理で読み出され使用される。
【００７８】
次に、球貸し機２２との通信処理（ＳＴ８７）と、球貸し機２２で清算される球貸し処理（ＳＴ８８）とが実行される。図８〜図１３は、これらの処理内容を詳細に説明するためのタイムチャートとフローチャートである。
【００７９】
カード通信処理（ＳＴ１４）の具体的な処理内容は、カード動作ステイタスによって管理されている。具体的には、図９（ａ）に示す通り、カード動作ステイタスの値（＝００Ｈ〜０ＤＨ）に応じて、ＢＲＤＹ待ち処理（ＲＴ０）、ＢＲＱ待ち処理（ＲＴ１）、球貸し開始待ち処理（ＲＴ２）、球貸し開始処理（ＲＴ３）、球貸し中処理（ＲＴ４）、球貸し終了待ち処理（ＲＴ５）、及び、通信エラー処理（ＲＴ６０、ＲＴ６１）の何れか一つが実行される。
【００８０】
＜カード動作ステイタス＝００Ｈ＞
初期状態ではカード動作ステイタス＝００Ｈであり、図９（ｂ）に示すＢＲＤＹ待ち処理（ＲＴ０）が実行される。具体的には、ＰＲＤＹフラグが５ＡＨに設定されるが（ＲＴ００１）、ＰＲＤＹフラグは、球貸し機２２に、Ｈレベルの制御信号ＰＲＤＹを出力するか否かを規定するものであり、遊技機が正常に起動した場合には、ステップＲＴ００１の処理で設定されたＰＲＤＹフラグの値（＝５ＡＨ）に基づいて、データ出力処理（ＳＴ９２）において、Ｈレベルの制御信号ＰＲＤＹが出力される（図８のタイミング（ａ）参照）。
【００８１】
ステップＲＴ００１の初期処理が終わると、球貸し機２２から受ける制御信号ＢＲＤＹのレベルが判定され（ＲＴ００２）、これが立上った場合だけ（図８のタイミング（ｂ）参照）、カード動作ステイタスが０１Ｈに設定され、カードタイマ値が適宜な初期値ｔ１に設定される。なお、カードタイマの初期値ｔ１、ｔ２、ｔ３、ｔ４や、カードタイマ値の下限値は、球貸し機と遊技機とのインタフェイス仕様（プロトコル）に基づいて適宜に決定される値である。
【００８２】
＜カード動作ステイタス＝０１Ｈ＞
カード動作ステイタスが００Ｈから０１Ｈに変更されると（ＲＴ００３）、図９（ｃ）に示すＢＲＱ待ち処理（ＲＴ１）が実行される。ここでは、先ず、カードタイマ値が判定され（ＲＴ１０１）、ゼロでなければ、球貸し機２２が出力する制御信号ＢＲＤＹ，ＢＲＱが共にＨレベルであるか判定される（ＲＴ１０２）。
【００８３】
そして、制御信号ＢＲＤＹ，ＢＲＱが共にＨレベルとなると（図８のタイミング（ｃ）参照）、カードタイマ値が下限値以上であるか否か判定され（ＲＴ１０３）、下限値未満であれば、カード動作ステイタスを０２Ｈに設定すると共に、カードタイマ値を新たに初期値ｔ４に設定する（ＲＴ１０４）。
【００８４】
一方、ステップＲＴ１０３の処理で、カードタイマ値が下限値以上であると判定された場合には、通信異常が発生しているとして、カード動作ステイタスを０７Ｈに設定すると共に、カードタイマ値を新たに初期値ｔ２に設定する（ＲＴ１０５）。このようにして、カード動作ステイタスが０７Ｈに設定された場合には、他の処理を経由する場合も含め、その後、適宜な通信エラー処理（ＲＴ６０、ＲＴ６１）が実行される。
【００８５】
ステップＲＴ１０１とＲＴ１０３の処理から明らかなように、制御信号ＢＲＤＹ，ＢＲＱが共にＨレベルになるのが、早過ぎても遅すぎても、通信エラーと判定される。具体的には、本実施例では、ＢＲＱ待ち処理（ＲＴ１）を開始してから、２８ｍＳ〜５０ｍＳの間に、２つの制御信号がＢＲＤＹ＝ＢＲＱ＝Ｈレベルとなった場合だけ、カード動作ステイタスを０２Ｈに進行させている。このような動作によって、耐ノイズ性を高めている。
【００８６】
＜カード動作ステイタス＝０２Ｈ又は０６Ｈ＞
カード動作ステイタスが０１Ｈから０２Ｈに変更されるか（ＲＴ１０４）、或いは、カード動作ステイタスが０５Ｈから０６Ｈに変更されると（図１０（ｃ）のＲＴ５０５）、図９（ｄ）に示す球貸し開始待ち処理（ＲＴ２）が実行される。この球貸し開始待ち処理では、先ず、カードタイマ値が判定され（ＲＴ２０１）、もしゼロでなければ、その値が下限値未満であるか否か判定される（ＲＴ２０２）。
【００８７】
そして、このタイミングで賞球フラグがゼロであれば（ＲＴ２０３）、カード動作ステイタスを０２Ｈから０３Ｈに変更すると共に、カードタイマ値を初期値ｔ１に設定してＥＸＳフラグを５ＡＨに設定する（ＲＴ２０４）。ステップＲＴ２０４の処理は、このタイミングでは、制御信号ＢＲＤＹ，ＢＲＱが共に既にＨレベルであるので（ＲＴ１０２）、球貸し処理を開始することを、球貸し機２２に通知するための処理である。５ＡＨに設定されたＥＸＳフラグに基づいて、その後のデータ出力処理（ＳＴ９２）において、Ｈレベル制御信号ＥＸＳが球貸し機２２に出力される（図８のタイミング（ｄ）参照）。
【００８８】
なお、ＲＴ２０２〜ＲＴ２０３の条件が満たされることなく時間（例えば１０秒）が経過して、カードタイマの値がゼロとなった場合には、制御信号ＢＲＤＹ，ＢＲＱが共にＬレベルになったタイミングで、カード動作ステイタスを００Ｈに戻す（ＲＴ２０６）。
【００８９】
このように、本実施例では、賞球フラグが００Ｈに変化するのを、例えば、１０秒程度待機している。この賞球フラグは、賞球動作の開始時に５ＡＨに設定され（図１４のＳＴ３３）、必要な賞球動作を終えた段階で００Ｈに戻るので（ＳＴ４７，ＳＴ２４）、１０秒間の待機時間は、十分な時間であると考えられる。
【００９０】
一方、賞球フラグが００Ｈになることなく１０秒が経過した場合でも、引き続き、制御信号がＢＲＤＹ＝ＢＲＱ＝Ｌレベルとなるのを待機し、ＢＲＤＹ＝ＢＲＱ＝Ｌレベルのタイミングでカード動作ステイタスを００Ｈにしている。この動作は、球貸し機２３の動作が初期状態に戻るのを引き続き待つことを意味し、要するに、球貸し機２３に十分な猶予時間を与えている。
【００９１】
同様に、ステップＲＴ２０２の処理によって、球貸し開始処理（ＲＴ２）を開始してから、例えば１０ｍＳの間、制御信号ＥＸＳを出力しないことで、球貸し機２３の動作準備時間を確保している。
【００９２】
＜カード動作ステイタス＝０３Ｈ＞
カード動作ステイタスが０２Ｈから０３Ｈに変更されると（ＲＴ２０４）、図１０（ａ）に示す球貸し開始処理（ＲＴ３）が実行される。この球貸し開始処理では、先ず、カードタイマ値が判定され（ＲＴ３０１）、もしゼロでなければ、制御信号ＢＲＤＹがＨレベルであって、且つ、制御信号ＢＲＱがＬレベルであるか判定される（ＲＴ３０２）。そして、この条件を満たす場合（図８のタイミング（ｅ）参照）には、カードタイマ値が下限値以上であるかが判定される（ＲＴ３０３）。
【００９３】
そして、カードタイマ値が下限値未満である場合には、カード動作ステイタスを０４Ｈに設定すると共に、カードタイマ値を新たに初期値ｔ２に設定する（ＲＴ３０４）。なお、ステップＲＴ３０１の処理でカードタイマ値がゼロであると判定されたり、ステップＲＴ３０３の処理でカードタイマ値が下限値以上であると判定された場合には、カードタイマ値が初期値ｔ２に設定されると共に、カード動作ステイタスが０７Ｈに設定される（ＲＴ３０７）。
【００９４】
ステップＲＴ３０３とＲＴ３０１の処理から明らかなように、制御信号ＢＲＤＹ＝Ｈレベル、制御信号ＢＲＱ＝Ｌレベルとなるのが、早過ぎても遅すぎても、通信エラーと判定される。具体的には、本実施例では、球貸し開始処理（ＲＴ３）に移行してから、２８ｍＳ〜５０ｍＳの間に、上記の条件が満たされた場合だけ、カード動作ステイタスを０４Ｈに進行させており、このような動作によって、耐ノイズ性を高めている。
【００９５】
＜カード動作ステイタス＝０４Ｈ＞
カード動作ステイタスが０３Ｈから０４Ｈに変更されると（ＲＴ３０４）、図１０（ｂ）に示す球貸し中処理（ＲＴ４）が実行される。この球貸し中処理では、カードタイマ値がゼロであり、且つ、球貸しフラグが００Ｈの場合に、カード動作ステイタスが０５Ｈに変更される（ＲＴ４０３）。また、これに合わせて、カードタイマが初期値ｔ３に設定され、ＥＸＳフラグが００Ｈに設定される。なお、００Ｈに設定されたＥＸＳフラグに基づいて、データ出力処理（ＳＴ９２）において、Ｌレベルの制御信号ＥＸＳが球貸し機２２に出力される（図８のタイミング（ｆ）参照）。
【００９６】
ステップＲＴ４０２で判定される球貸しフラグは、２５個分の球貸し処理を実際に開始するタイミングで５ＡＨに初期設定され（図１１のＲＴ１５）、２５個分の球貸し処理を終えると、過渡的な値（＝Ａ５Ｈ）を経て（図１３のＲＴ５１）、最終的に００Ｈに戻される（図１１のＲＴ１８）。したがって、球貸し中処理（ＲＴ４）において、球貸しフラグ＝００Ｈが検出された事実は、２５個の遊技球の払出が終わったことを意味するので、Ｌレベルの制御信号ＥＸＳを出力するべく、ＥＸＳフラグを００Ｈに戻すのである（ＲＴ４０３）。
【００９７】
なお、ステップＲＴ４０１の処理によって、球貸し中処理（ＲＴ４）に移行してから、所定時間ｔ２が経過するまでは、球貸しフラグの値をチェックしない。これは、本実施例では、２５個を一単位として球貸し動作を実行するので、２５×６４ｍＳ＝１．６秒より早く、球貸しフラグが００Ｈに戻ることはないためである。すなわち、意味のない判定処理（ＲＴ４０２）の実行を回避している。
【００９８】
＜カード動作ステイタス＝０５Ｈ＞
カード動作ステイタスが０４Ｈから０５Ｈに変更されると（ＲＴ４０３）、図１０（ｃ）に示す球貸し終了待ち処理（ＲＴ５）が実行される。この球貸し終了待ち処理では、カードタイマ値がゼロでないことを条件に（ＲＴ５０１）、２つの制御信号ＢＲＤＹ，ＢＲＱが共にＨレベルであるかが判定される（ＲＴ５０２）。ここで、２つの制御信号ＢＲＤＹ，ＢＲＱが共にＨレベルになる場合とは、Ｌレベルになっていた制御信号ＢＲＱが、再度、Ｈレベルになったことを意味する（図８のタイミング（ｃ）’参照）。このことは、言い換えると、一単位２５個の遊技球の払出を再度実行することを、球貸し機２２が遊技機に指示していることを意味する。
【００９９】
したがって、ＢＲＤＹ＝Ｈレベル、ＢＲＱ＝Ｈレベルとなる場合には、カード動作ステイタスを０６Ｈに設定すると共に、カードタイマを初期値ｔ４に設定する（ＲＴ５０５）。なお、カード動作ステイタスが０６Ｈに設定されると、その後は、図９（ｄ）の球貸し開始待ち処理（ＲＴ２）が実行される。
【０１００】
一方、ステップＲＴ５０２の判定がＮＯの場合には、次に、２つの制御信号ＢＲＤＹ，ＢＲＱが共にＬレベルであるかが判定される（ＲＴ５０３）。ここで、２つの制御信号ＢＲＤＹ，ＢＲＱが共にＬレベルになる場合とは、一連の球貸し動作の開始時（図８のタイミング（ｂ）参照）に、Ｈレベルになっていた制御信号ＢＲＤＹが、Ｌレベルに戻ったことを意味する（図８のタイミング（ｇ）参照）。このことは、言い換えると、一単位２５個の遊技球の払出動作を、複数回繰り返した結果、球貸しスイッチ２３ｂの一回の押圧操作に応答した一連の球貸し処理が完全に完了したことを意味する。
【０１０１】
そこで、ＢＲＤＹ＝Ｌレベル、ＢＲＱ＝Ｌレベルとなる場合には、カード動作ステイタスを初期状態の００Ｈに設定すると共に、カードタイマをゼロに初期設定する（ＲＴ５０４）。なお、カード動作ステイタスの変更処理（ＲＴ５０５，ＲＴ５０４）が何れも実行されることなくカードタイマがゼロになる場合（例えば、２５０ｍＳを経過）には、通信異常であるとして、カード動作ステイタスを０７Ｈに設定すると共に、カードタイマを初期値ｔ２に設定する（ＲＴ５０６）。もっとも、球貸し機２２は、最後のＢＲＱ信号を立下げた後、所定時間後にＢＲＤＹ信号を立下げるので、通常は、直ちにステップＲＴ５０４の処理が実行され、通信異常と判定されることはない。
【０１０２】
以上、カード動作ステイタス値００Ｈ〜０ＤＨに応じた処理内容を詳細に説明したが、カード動作ステイタスの状態遷移図は、図８の下段に示す通りである。図示の通り、カード動作ステイタスは００Ｈ→０１Ｈ→０２Ｈ→０３Ｈ→０４Ｈ→０５Ｈ→０６Ｈ→０３Ｈ→０４Ｈ→０５Ｈ→０６Ｈ→０３Ｈ・・・と推移して、２５個単位の払出動作を所定回数（例えば５回）だけ繰り返し、最後に、０６Ｈ→０３Ｈ→０４Ｈ→０５Ｈ→００Ｈと推移して球貸し処理を終える。なお、通信異常と判定された場合には、図３４に示す処理を経て、球貸し機２２の動作が初期状態に戻され、遊技機では、カード動作ステイタスが００Ｈに戻される。
【０１０３】
図１１は、上記したカード通信処理（ＳＴ８７）に続いて実行される球貸し処理（ＳＴ８８）を示すフローチャートである。球貸し処理（ＳＴ８８）では、最初に、球貸し／賞球切換え処理が実行される（ＲＴ１１）。具体的な内容は、図１２（ａ）に示す通りであり、先ず、切換えフラグが００Ｈに設定される（ＲＴ３０）。
【０１０４】
次に、カード動作ステイタスが０３Ｈ以上、且つ０７Ｈ未満の場合だけ、切換えフラグが５ＡＨに書き換えられる（ＲＴ３３）。したがって、一旦、切換えフラグが５ＡＨに書き換えられた後は、球貸し開始処理（カード動作ステイタス０３Ｈ）→球貸し中処理（カード動作ステイタス０４Ｈ）→球貸し終了待ち処理（カード動作ステイタス０５Ｈ）→球貸し開始待ち処理（カード動作ステイタス０６Ｈ）→球貸し開始処理（カード動作ステイタス０３Ｈ）を繰り返す限り、切換えフラグは５ＡＨを維持し、その後、球貸し終了待ち処理（カード動作ステイタス０５Ｈ）からＢＲＤＹ待ち処理（カード動作ステイタス００Ｈ）に移行すると、切換えフラグが００Ｈに戻ることになる（図８の中段及び下段、図１２（ｂ）参照）。
【０１０５】
このような球貸し／賞球切換え処理（ＲＴ１１）が終われば、次に、球貸し検出処理が実行される（ＲＴ１２）。球貸しとは、具体的には、遊技球の払出を意味するが、遊技球の払出は、データ出力処理（ＳＴ９２）に起因して、払出モータＭが回転した場合に生じる。そして、遊技球の払出があればステップＳＴ８４のデータ入力処理（図７（ａ））によって、その旨がワークエリアＥＤＧにスイッチエッジデータとして記憶されている（図６（ｃ））。
【０１０６】
そこで、球貸し検出処理（Ｒ１２）では、ワークエリアＥＤＧのデータに基づいて、球貸し（遊技球の払出）があったか否かを判定する。具体的には、図１３に示す通りであり、先ず、切換えフラグが５ＡＨであるか否かによって、現在が遊技球の払出の可能性があるか否かを判定する（ＲＴ４０）。そして、切換えフラグ＝５ＡＨであれば、スイッチエッジデータをＣレジスタに格納する（ＲＴ４１）。なお、この実施例では、スイッチエッジデータのｂｉｔ０が、左計数スイッチの検出状態を表し、ｂｉｔ１が右計数スイッチの検出状態を表している。
【０１０７】
次に、Ｂレジスタに数値２を格納した後（ＲＴ４２）、Ｃレジスタの値を右方向に１ビット回転させる（ＲＴ４３）。なお、この回転処理（Ｚ８０ＣＰＵのＲＯＴＡＴＩＯＮ命令）によって、Ｃレジスタのｂｉｔ０の値がキャリーフラグＣＹに移動する。したがって、ＣＹ＝１となる場合は、ＲＯＴＡＴＩＯＮ命令の実行前の最下位ビットが１であったことを意味するので、データ入力処理（ＳＴ８４）において、遊技球が検出されていることを意味する。
【０１０８】
そこで、そのことを記憶するべく、払出検出フラグに５ＡＨを設定する（ＲＴ４５）。次に、球貸しフラグが５ＡＨであるか判定し（ＲＴ４６）、球貸しフラグ≠５ＡＨの場合には払出リトライフラグを５ＡＨに設定する（ＲＴ４７）。図１１に関して後述するように、払出動作が開始されるに当たって、球貸しフラグは５ＡＨに設定される（図１１のＲＴ１５）。したがって、遊技球の払出が検出されたにも拘わらず、球貸しフラグ≠５ＡＨであるのは、自重や慣性によって遊技球が落下した異常事態を意味する。そこで、払出回転体ＲＯの位置決めをするべく、払出リトライフラグを５ＡＨに設定している（ＲＴ４７）。
【０１０９】
但し、通常は、球貸しフラグ＝５ＡＨであるので、次に、払出残数カウンタがゼロか否かを判定し（ＲＴ４８）、ゼロでなければ、払出残数カウンタをデクリメントする（ＲＴ４９）。払出残数カウンタは、球貸し個数を管理するカウンタであり、動作の開始時に、球貸し単位である２５個に初期設定されている（図１１のＲＴ１５）。
【０１１０】
そして、デクリメント後の残数カウンタの値がゼロになれば、払出モータフラグと球貸しフラグとを、Ａ５Ｈを設定する（ＲＴ５１）。払出モータフラグは、払出モータＭが停止しているタイミングでは、００Ｈの初期値であるが、払出モータＭが駆動されるべき開始タイミングで５ＡＨに設定され（図１１のＲＴ１５）、駆動が停止されるべき今のタイミングでＡ５Ｈに設定される（ＲＴ５１）。
【０１１１】
何れにしても、ステップＲＴ４５〜ＲＴ５１の処理が終われば、Ｂレジスタの値をデクリメントして（ＲＴ５２）、Ｂレジスタの値がゼロになるまで、同様の処理を繰り返す（ＲＴ５３）。Ｂレジスタは、最初に２に初期設定されているので（ＲＴ４２）、ステップＲＴ４３〜ＲＴ５２の処理が二回実行され、左右の左計数スイッチの検出結果に応じて、払出残数カウンタの値が減算されることになる。
【０１１２】
続いて、図１１に戻って球貸し処理の説明を続ける。以上のようにして球貸し検出処理（ＲＴ１２）を終えた後、カード動作ステイタスの値が０４Ｈに一致するか否かが判定される（ＲＴ１３）。カード動作ステイタス＝０４Ｈは、「球貸し中」を意味するが、実際には球貸し動作を開始しておらず、カード動作ステイタスとして「球貸し開始」から「球貸し中」に移行した当初のタイミングも含まれている。そして、このような場合には、球貸しフラグが初期値の００Ｈのままである。
【０１１３】
そこで、球貸しフラグ＝００Ｈの場合には、払出残数カウンタと新規払出カウンタに、球貸し単位の２５個を設定した上で、球貸しフラグと払出モータフラグに５ＡＨを設定して、サブルーチン処理を終える（ＲＴ１５）。
【０１１４】
一方、ステップＲＴ１４の処理で、球貸しフラグ≠００Ｈと判定される場合には、既に、実質的な払出動作（球貸し動作）が開始されていることを意味する。そこで、この場合には、球貸しフラグがＡ５Ｈか否かが判定され（ＲＴ１６）、もし、球貸しフラグ＝Ａ５Ｈであれば、左右の計数スイッチが共にＯＦＦレベルであることを条件に、球貸しフラグを００Ｈに戻す（ＲＴ１８）。先に説明した通り、球貸しフラグは、払出残数カウンタがゼロになると、図１３のステップＲＴ５１の処理でＡ５Ｈに設定される。そこで、球貸しフラグ＝Ａ５Ｈの場合には、遊技球が、左右の計数スイッチＬＳＷ，ＲＳＷを通過し終わったことを確認した上で、初期状態の００Ｈに戻すのである。
【０１１５】
以上のようにして球貸し処理（ＳＴ８８）が完了すると、次に、図１４に示す賞球処理（図７（ａ）のＳＴ８９）が実行される。賞球処理（ＳＴ８９）は、球貸し処理（ＳＴ８８）に類似した処理であるが、球貸し処理と択一的に動作するよう構成されている。
【０１１６】
すなわち、図１４の賞球処理（ＳＴ８９）の先頭で実行される賞球検出処理（ＳＴ２０）では、図１５に示すように、先ず、切換えフラグの値が判定され、その値が５ＡＨである場合には何もしないで処理を終える（ＳＴ３９）。先に説明した通り、切換えフラグが５ＡＨとなるのは、カード動作ステイタスが０３Ｈ以上、且つ０７Ｈ未満の場合だけであって（図１２（ａ）参照）、要するに、球貸し動作が実行されている場合である。したがって、球貸し処理（ＳＴ８８）が機能しているタイミングでは、賞球検出処理（ＳＴ２０）は事実上スキップされる。
【０１１７】
また、図１４に示す通り、賞球処理（ＳＴ８９）におけるその後の処理（ＳＴ２２〜ＳＴ３４）についても、カード動作ステイタスが００Ｈである場合だけ機能する。すなわち、カード動作ステイタス≠００Ｈの場合には賞球フラグの値が判定され（ＳＴ２３）、もし賞球フラグがＡ５Ｈであれば、賞球フラグをクリアして処理を終えるので（ＳＴ２４）、球貸し処理（ＳＴ８８）が機能しているタイミングでは、事実上、賞球処理（ＳＴ８９）がスキップされることになる。
【０１１８】
以上、切換えフラグの値が５ＡＨであって、球貸し動作が実行されている場合について説明したが、続いて、切換えフラグ≠５ＡＨの場合について、図１５に基づいて説明する。このような場合には、左右の賞球データ（スイッチエッジデータのｂｉｔ０とｂｉｔ１）を変数Ｄ１に取得すると共に、Ｂレジスタに２を設定する（ＳＴ４０）。次に、変数Ｄ１を右に１ビットシフト演算することで、スイッチエッジデータのｂｉｔ０の内容をキャリーフラグＣＹに移動させる（ＳＴ４１）。
【０１１９】
ＣＹ＝１であれば計数スイッチがＯＮであることを意味するが、ステップＳＴ４２の判定でＣＹ＝１となる場合には、払出検出フラグを５ＡＨに書き換えた後に（ＳＴ４３）、賞球フラグの内容をチェックする（ＳＴ４４）。払出動作が完了するまでは、賞球フラグの値が５ＡＨであるから（図１４のＳＴ３３参照）、続いて、払出残数カウンタの値がゼロか否かを判定する（ＳＴ４６）。
【０１２０】
球貸し動作の場合と同様、払出残数カウンタは、データ出力処理（図７（ａ）のＳＴ９２）を経て払出されるべき遊技球の残数を管理している。そして、このタイミングでは、ステップＳＴ４２の判定によって遊技球の払出が確認されている。したがって、払出残数カウンタの値がゼロでない場合には、カウンタ値を−１して（ＳＴ４８）、ステップＳＴ５０の処理に移行する。
【０１２１】
一方、デクリメント処理（ＳＴ４８）の結果、払出残数カウンタの値がゼロになれば、払出モータフラグと賞球フラグとをＡ５Ｈに設定した後に（ＳＴ４７）、ステップＳＴ５０の処理に移行する。なお、払出モータフラグと賞球フラグは、払出残数カウンタに新規払出カウンタの値を加算した段階で５ＡＨに設定されるようになっている（図１４のＳＴ３１〜ＳＴ３３）。
【０１２２】
また、払出モータフラグは、払出モータＭを駆動状態にするか非駆動状態にするかを規定しており、払出モータフラグが５ＡＨ又はＡ５Ｈであれば、モータ駆動状態となるが、００Ｈであれば非駆動状態となる。ここでモータ駆動状態とは、第１出力ポート１６に有意な駆動データ（２進数０１０１，０１１０，１０１０，１００１の何れか）が出力されていることを意味し、非駆動状態とは、第１出力ポート１６に２進数００００が出力されていることを意味する。なお、第１出力ポート１６に２進数００００が出力されると、オープンコレクタタイプのトランジスタ群１８が全てＯＦＦ状態となり、払出モータＭは自由回転状態となる（図５参照）。
【０１２３】
以上のステップＳＴ４１〜ＳＴ５１の処理は、Ｂレジスタの初期値（＝２）に基づき二回実行される。そして、払出残数カウンタの値がゼロになった後は、払出動作が実行されないため、ステップＳＴ４２の判定において、ＣＹ＝１となることは本来無いはずである。
【０１２４】
しかし、払出回転体ＲＯの慣性力などの影響で、過払い状態となる可能性も否定しきれない。そして、このような異常時には、過払い状態を示すべく、払出リトライフラグを５ＡＨに設定する（ＳＴ４５）。この払出リトライフラグは、電源投入後のステップＳＴ９（図６）でも５ＡＨに設定されるフラグである。そして、払出リトライフラグが５ＡＨであると、リトライ処理（図２０）が開始され、遊技球が一個払出されるまで３．７５°ピッチで払出回転体ＲＯが歩進することで、精密な位置合わせ処理が実現される。
【０１２５】
図１４に戻って賞球処理の説明を続けると、上記した賞球検出処理（ＳＴ２０）の後、先ず、カード動作ステイタスの値がチェックされる（ＳＴ２１）。そして、カード動作ステイタス＝００Ｈの場合には、続いて、モータ動作ステイタスの値がチェックされる（ＳＴ２２）。モータ動作ステイタスは、一連の賞球払出動作における動作内容を規定するものであり、２ｍＳ毎に実行されるモータ処理（図７（ａ）のＳＴ９１）は、モータ動作ステイタス＝００Ｈ〜０３Ｈの何れかの状態で実行される。具体的には、各動作ステイタス００Ｈ、０１Ｈ、０２Ｈ、０３Ｈでは、各々、モータ駆動開始処理（図１８（ａ））、モータ駆動中処理（図１８（ｂ））、モータ停止中処理（図１９）、又は、モータリトライ中処理（図２０）が実行される。
【０１２６】
そして、ステップＳＴ２２の処理で、モータ動作ステイタス＝０１Ｈであって、モータ駆動中処理（図１８（ｂ））を実行すべきタイミングであると判定されると、何もしないで賞球処理を終える。また、モータ動作ステイタス＝０３Ｈであって、モータリトライ中処理（図２０）を実行すべきタイミングであると判定されれば、賞球フラグの値をチェックし（ＳＴ２３）、もしＡ５Ｈに設定されていれば、賞球フラグを００Ｈに書き直して賞球処理を終える（ＳＴ２４）。
【０１２７】
一方、ステップＳＴ２２の処理で、今がモータ動作ステイタス＝０２Ｈであって、モータ停止中処理（図１９）を実行すべきタイミングであると判定されると、払出リトライフラグの値をチェックし（ＳＴ２５）、もし５ＡＨに設定されていれば、そのまま賞球処理を終え、５ＡＨ以外の値（＝００Ｈ）に設定されていれば、ステップＳＴ２６の処理に移行する（ＳＴ２５）。
【０１２８】
ステップＳＴ２２の判定処理で、今回のタイマ割込み時が、モータ動作ステイタス＝００Ｈであって、駆動開始処理（図１８（ａ））を実行すべきタイミングであると判定されれば、先ず、コマンド解析処理（ＳＴ８６）で更新された全賞球数カウンタの値が変数Ｄ１に取得される（ＳＴ２６）。そして、変数Ｄ１がＤ１≠０であれば、新規払出数の最大値２５を変数Ｄ２に格納し、変数Ｄ１から変数Ｄ２の値を減算する（ＳＴ２８）。
【０１２９】
次に減算結果が負か否か判定され（ＳＴ２９）、もし負なら変数Ｄ２に全賞球数カウンタの値を格納すると共に、変数Ｄ１をゼロに設定する（ＳＴ３０）。その後、新規払出カウンタに、変数Ｄ２の値を格納すると共に、全賞球数カウンタに、変数Ｄ１の値を格納する（ＳＴ３１）。なお、ステップＳＴ３１の処理で設定される新規払出カウンタの値は、通常は５個、１０個、２５個（新規払出数の最大値）の何れかである。
【０１３０】
続いて、払出残数カウンタの値を変数Ｄ３に格納し、変数Ｄ２の値を変数Ｄ３に加算する。そして、加算結果である変数Ｄ３の値を、払出残数カウンタに格納する（ＳＴ３２）。この処理の結果、このタイミングで把握されている、払出すべき全賞球数が、払出残数カウンタに格納されることになる。
【０１３１】
その後、賞球フラグと払出モータフラグが５ＡＨに設定され（ＳＴ３３）、モータ動作ステイタスが００Ｈに設定されて賞球処理が終わる（ＳＴ３４）。なお、５ＡＨに設定された賞球フラグは、図１５のステップＳＴ４７の処理でＡ５Ｈに変更されるまで、その値を維持する。
【０１３２】
一方、５ＡＨに設定された払出モータフラグは、図１５のステップＳＴ４７の処理でＡ５Ｈに変更される他、図１９のステップＳ２０４や図２０のステップＳ４０の処理で００Ｈに変更される。すなわち、払出モータフラグは、初期的に５ＡＨに設定された後、払出残数カウンタの値がゼロになるとＡ５Ｈに変更され（ＳＴ４７）、その後、モータ動作ステイタス＝０２Ｈからモータ動作ステイタス＝００Ｈに変更されるか、或いは、モータ動作ステイタス＝０３Ｈからモータ動作ステイタス＝００Ｈに変更されるタイミングで、００Ｈに変更される（Ｓ２０４，Ｓ４０）。
【０１３３】
以上の動作推移から明らかなように、払出モータフラグは、一連の払出動作を開始するに当って５ＡＨに設定され、その後、Ａ５Ｈに変更されることはあっても、一連の払出動作を終えてモータ動作ステイタス＝００Ｈ（初期状態）に戻るタイミングでは、必ず００Ｈとなる。本実施例では、この払出モータフラグの値に応じて、払出モータＭを駆動状態とするか非駆動状態にするかを管理しており、払出モータフラグがＡ５Ｈ又は５ＡＨであれば駆動状態、払出モータフラグが００Ｈであれば非駆動状態となる（図１７参照）。
【０１３４】
また、本実施例では、新規払出カウンタとは別に、払出残数カウンタを設けているので、払出モータＭが駆動されない払出停止状態からの復帰時にも、円滑な払出動作が実現される。例えば、払出停止状態でステップＳＴ２６〜ＳＴ３４の処理が繰り返されると、遊技球が払出されない状態で、全賞球数カウンタの減少分だけ（ＳＴ２８，ＳＴ３１）、払出残数カウンタの値は＋２５ずつ増加するが（ＳＴ３２）、払出停止状態からの復帰後は、蓄積された払出残数カウンタ分の遊技球が一気に払い出されることになる。
【０１３５】
図１６は、図７の払出エラー処理（図７（ａ）のＳＴ９０）の動作内容を示したものである。図１６（ａ）に示す通り、払出エラー処理（ＳＴ９０）は、リトライエラー検出処理（Ｓ７０）、計数スイッチエラー検出処理（Ｓ７１）、補給切れエラー検出処理（Ｓ７２）、及び、満杯球詰りエラー検出処理（Ｓ７３）で構成されている。
【０１３６】
図１６（ｂ）に示す通り、リトライエラー検出処理（Ｓ７０）では、データ入力処理（ＳＴ８４）で更新されたワークエリアＥＤＧのスイッチエッジデータの値に基づいて、新たに、遊技球の払出があったか否かが判定される（Ｓ７０１）。具体的には、第１入力ポート１３Ａのビット０とビット１の値が今回のタイマ割込み時に立上ったか否かが判定される。ここで、遊技球の払出が検出された場合は、遊技球が払出されない球詰り状態が、後述するリトライ処理の結果、解消されたことを意味する。したがって、遊技球の払出が確認された場合には、リトライエラーフラグ、リトライエラーＬＥＤフラグ、及びリトライカウンタの全てを、００Ｈに設定して処理を終える（Ｓ７０４）。
【０１３７】
一方、未だ、遊技球の払出しが検出されない場合には、リトライカウンタの値が上限値ＭＭ（例えば９６）を超えない限りそのまま処理を終え、上限値ＭＭを超えると、リトライエラーフラグ、リトライエラーＬＥＤフラグ、及び払出リトライフラグの全てを、５ＡＨに設定して処理を終える（Ｓ７０３）。なお、リトライカウンタの値は、図２０のリトライ処理におけるステップＳ３３の処理で０．２５秒毎に更新（＋１）されるので、リトライカウンタが上限値ＭＭを超えるのに、ＭＭ／４秒（＝約２４秒）を要する。
【０１３８】
ステップＳ７０３の処理でリトライエラーＬＥＤフラグが５ＡＨに設定されたことにより、その後のデータ出力処理（ＳＴ９２）では、球詰り状態（リトライエラー）を示す異常ランプＥＲ１が点灯される。また、リトライエラーフラグの値が５ＡＨである限り、その後のモータ処理（ＳＴ９１）において、モータ駆動データが００Ｈとされるので、これに続くデータ出力処理（ＳＴ９２）において払出モータＭが非駆動状態（自由回転状態）となる。したがって、異常ランプＥＲ１の点灯を検出した係員は、払出回転体ＲＯの操作軸５３を比較的自由に回転させることができ、容易に球詰り状態を解消させることができる。
【０１３９】
続いて、計数スイッチエラー検出処理（Ｓ７１）について説明する。図１６（ｃ）に示す通り、先ず、計数エラーカウンタの値が３以上か否かが判定される（Ｓ７１０）。計数エラーカウンタは、所定個数分の払出動作の完了時に、払出不足の個数が３個以上である異常状態の場合に、図１９のステップＳ２１２のインクリメント処理において更新されている。
【０１４０】
そして、計数エラーカウンタの値が３未満である場合には、計数エラータイマがゼロであることを条件に、計数エラーカウンタの値が００Ｈにリセットされる（Ｓ７１２）。計数エラータイマは、図１９のステップＳ２１４において６００００に初期設定された後、図７（ａ）のタイマ減算処理（ＳＴ８５）において、２ｍＳ毎にゼロになるまでデクリメント処理（−１）されている。
【０１４１】
したがって、ステップＳ７１１の判定において、計数エラータイマ＝０となる場合とは、所定個数（例えば２５個）の払出動作の完了時に、払出不足個数が３個以上である異常事態が発生したものの、その後、２分間（＝６００００＊２ｍＳ＝１２０Ｓ）を経過するまでに、異常事態の発生回数が３回に達しなかったことを意味する。そして、この程度の異常事態では、係員を呼出すことまでは不要であると判断して、計数エラーカウンタを００Ｈにクリアするのである（Ｓ７１２）。
【０１４２】
一方、Ｓ７１１の判定において、計数エラータイマ≠０であって、異常事態の最初の発生から２分間を経過していない場合には、計数エラーカウンタはクリアされることなく、それまでの値が維持される。そのため、ステップＳ７１０の判定において、計数エラーカウンタの値が３に達した場合とは、「所定個数分の払出動作の完了時に、払出不足の個数が３個以上である異常事態」が、「２分以内に３回発生したこと」を意味する。
【０１４３】
したがって、このような重度の異常事態（以下、計数エラーという）が発生した場合には、計数エラーフラグと、計数エラーＬＥＤフラグとを５ＡＨにセットする（Ｓ７１３）。計数エラーＬＥＤフラグが５ＡＨにセットされたことにより、データ出力処理（ＳＴ９２）において、異常ランプＥＲ２が点灯されて、計数エラーが報知される（図２１のＳＴ７４参照）。また、払出不足エラー信号が主制御部１に出力され（図２１のＳＴ７８参照）、主制御部１の制御に基づき、表示装置には、例えば「球を払出せません。係員をお呼び下さい。」と表示される。
【０１４４】
次に、計数エラーフラグの値が判定され、これが５ＡＨである場合には、第１入力ポートの入力データに基づいて、異常解除信号ＳＯＬＶＥを主制御部１から受けているか否かが判定される（Ｓ７１５）。異常解除信号ＳＯＬＶＥは、計数エラー報知に対応して、係員が操作スイッチＳＷをＯＮ操作したことを示すものであり、操作スイッチがＯＮ操作されたことが確認されると、計数エラーフラグ、計数エラーＬＥＤフラグ、計数エラーカウンタ、及び、計数エラータイマが全て００Ｈにリセットされる（Ｓ７１６）。
【０１４５】
続いて、計数スイッチＬＳＷ，ＲＳＷが断線状態か否かが判定される（Ｓ７１７）。具体的には、インタフェイスＩＣから第１入力ポート１３Ａ（図５）に供給されている断線検出信号のレベルが判定され、これが異常レベルであって、断線等の異常が検出されている場合には、計数スイッチ断線エラーフラグ、計数スイッチ断線エラーＬＥＤフラグ、及び、払出リトライフラグが５ＡＨにセットされる（Ｓ７１８）。
【０１４６】
計数スイッチ断線エラーＬＥＤフラグが５ＡＨにセットされたことにより、データ出力処理（図７のＳＴ９２）において、異常ランプＥＲ１が点灯されて、計数スイッチ断線エラーが報知される（図２１のＳＴ７４参照）。このように、異常ランプＥＲ１は、リトライエラーが生じた場合だけでなく、計数スイッチ断線エラーが生じた場合に点灯されるが、リトライエラーは、計数スイッチが遊技球を検出すると自動的に解消され（Ｓ７０４）、計数スイッチ断線エラーは、第１入力ポート１３Ａに供給される断線検出信号が正常レベルに復帰すると自動的に解消される（Ｓ７１９）。
【０１４７】
すなわち、インタフェイスＩＣから第１入力ポート１３Ａ（図５）に供給されている断線検出信号のレベルが正常レベルである場合には、計数スイッチ断線エラーフラグと、計数スイッチ断線エラーＬＥＤフラグが００Ｈにクリアされる（Ｓ７１９）。
【０１４８】
以上、払出エラー処理のステップＳ７０及びステップＳ７１の内容について詳細に説明したが、補給切れエラー検出処理（Ｓ７２）では、第１入力ポート１３Ａへのスイッチ信号が所定時間を超えて異常レベルであるか否かが判定され、異常レベルが継続される場合には、補給切れエラーフラグが５ＡＨに設定される。すると、データ出力処理（図２１）において、主制御部１に補給切れ信号が出力されて適宜な報知処理が実行される（ＳＴ７８参照）。なお、異常レベルから正常レベルに戻れば、補給切れエラーフラグが００Ｈに戻される。
【０１４９】
また、満杯球詰りエラー検出処理（Ｓ７３）でも、第１入力ポート１３Ａへの該当するスイッチ信号が、所定時間（実施例では＝５００ｍＳ）を超えて、連続して異常レベルであるか否かが判定され、異常レベルが継続される場合には、満杯球詰りエラーフラグが５ＡＨに設定される。この場合も、データ出力処理（図２１）において、主制御部１に満杯球詰り信号が出力されて適宜な報知処理が実行される（ＳＴ７８参照）。なお、異常レベルから正常レベルに戻れば、満杯球詰りエラーフラグは００Ｈに戻される。
【０１５０】
続いて、図１７のフローチャートに基づいてモータ処理（図７（ａ）のＳＴ９１）について説明する。モータ処理では、モータ駆動データを格納しているＭＯＯＵＴ番地の内容をクリアし（ＳＴ６１）、各種のエラーフラグの値が全て００Ｈであるか否かが判定される（ＳＴ６２）。ここで、判定されるエラーフラグには、リトライエラーフラグ、計数エラーフラグ、計数スイッチ断線エラーフラグ、補給切れエラーフラグ、及び満杯球詰りエラーフラグが含まれている。
【０１５１】
そして、全てのエラーフラグが００Ｈであって、全くエラーが発生していない場合には、続いて、払出モータフラグの値が判定される（ＳＴ６３）。一方、リトライエラーフラグ、計数スイッチエラーフラグ、計数スイッチ断線エラーフラグ、補給切れエラーフラグ、及び満杯球詰りエラーフラグの何れかが≠００Ｈであるか、或いは、払出モータフラグが＝００Ｈである場合には、何もしないでモータ処理を終える（ＳＴ６２，ＳＴ６３）。その結果、モータ駆動データ（ＭＯＯＵＴ番地の内容）は２進数００００のままとなり、データ出力処理（ＳＴ９２）が実行されても、払出モータＭが駆動されない。したがって、払出回転体ＲＯの回転動作が非拘束状態で禁止される払出停止状態となる。
【０１５２】
一方、ステップＳＴ６３の判定で、払出モータフラグが≠００Ｈと判定された場合には、そのときのモータ動作ステイタスの値に応じてモータ駆動開始処理（ＳＴ６５ａ）、モータ駆動中処理（ＳＴ６５ｂ）、モータ停止中処理（ＳＴ６５ｃ）、モータリトライ中処理（ＳＴ６５ｄ）の何れかが実行された後、これらの処理で決定された払出モータＭの位置に応じてモータ駆動データが選択され、ＭＯＯＵＴ番地に格納される（ＳＴ６６）。この実施例では、払出モータＭのモータ位置が０〜３で管理されており、これに対応して、モータ駆動データは（０１０１、０１１０、１０１０、１００１）の４種類であり、図４に示す順番に出力されて払出モータＭを順方向又は逆方向に歩進させる。
【０１５３】
図１８〜図１９は、モータ駆動開始処理（ＳＴ６５ａ）、モータ駆動中処理（ＳＴ６５ｂ）、モータ停止中処理（ＳＴ６５ｃ）、及びモータリトライ中処理（ＳＴ６５ｄ）の具体的内容を図示したものである。初期状態ではモータ動作ステイタスは００Ｈであるので図１８（ａ）モータ駆動開始処理が実行される。
【０１５４】
＜モータ動作ステイタス＝００Ｈ＞
モータ駆動開始処理では、払出リトライフラグの値がチェックされ（Ｓ１）、払出リトライフラグ≠５ＡＨであれば、新規払出カウンタの値Ｎを１６倍してステップカウンタに格納する（Ｓ２）。先に説明した通り、この実施例では、払出モータＭを順方向に１６ステップ歩進させて１２０°回転させることで、ギア接続された払出回転体ＲＯを６０°回転させて、遊技球を１個払出すようにしているので、払出モータＭに出力すべき一連の駆動データの総数として、１６×Ｎの値をステップカウンタに設定している。なお、新規払出カウンタの値Ｎは、球貸し動作時には、図１１のステップＲＴ１５の処理で設定された球貸し単位数（＝２５個）である。一方、賞球動作時には、図１４のステップＳＴ３１の処理で設定された値（＝２５個以下）である。
【０１５５】
以上のようにしてステップカウンタの初期値を設定した後、モータ動作ステイタスを０１Ｈに変更すると共に、モータ駆動タイマに２を設定する（Ｓ４）。モータ駆動タイマは、払出モータＭに駆動データを出力する時間間隔を指定するものである。
【０１５６】
何れにしても、モータ駆動タイマは、２ｍＳ毎にタイマ減算処理（ＳＴ８５）で−１されるので、モータ駆動タイマが２に設定されることで、２×２＝４ｍＳの時間間隔でモータ位置が変化する。なお、モータ駆動タイマがゼロになる毎にステップカウンタが−１される（Ｓ１２）。したがって、その後のモータ駆動中処理（モータ動作ステイタス＝０１Ｈ）では、払出モータＭが４ｍＳ毎に歩進し、４×１６＝６４ｍＳ毎に、遊技球が１個払い出される。
【０１５７】
一方、モータ動作ステイタスが００Ｈであって、払出リトライフラグが５ＡＨの場合には、モータ動作ステイタスが０３Ｈに変更される（Ｓ５）。また、モータ駆動タイマが１２５に設定され（Ｓ６）、払出リトライフラグと払出検出フラグがゼロクリアされる（Ｓ７）。モータ動作ステイタスが０３Ｈに変更されると、リトライ処理が開始させることになるが、モータ駆動タイマが１２５に初期設定されたことにより、以降は、１ステップ２５０ｍＳ（＝２×１２５）の時間間隔でゆっくり払出モータＭが駆動されることになる。
【０１５８】
＜モータ動作ステイタス＝０１Ｈ＞
図１８（ａ）のステップＳ３の処理によってモータ動作ステイタスが０１Ｈに設定された後は、図１８（ｂ）に示すモータ駆動中処理が実行される。ここでは、先ず、モータ駆動タイマの値がチェックされ（Ｓ１０）、ゼロでなければ何もしないで処理を終える。したがって、モータ駆動タイマが２に初期設定された場合には、２回のモータ処理（ＳＴ９１）は、同一の駆動データを出力することになる（ＳＴ６５ｂ〜ＳＴ６６）。
【０１５９】
その後、モータ駆動タイマがゼロになると、ステップＳ２の処理で１６×Ｎに初期設定されたステップカウンタの値が判定され（Ｓ１１）、ゼロでなければステップカウンタの値を−１すると共に、モータ位置を０〜３の範囲で＋１する（Ｓ１２〜Ｓ１３）。
【０１６０】
次に、ステップカウンタの値が判定され（Ｓ１４）、ステップカウンタ≠０の場合には、モータ動作ステイタスを０２Ｈに設定して処理を終える（Ｓ１５）。このような歩進動作を繰り返すと、その後、ステップカウンタの値がゼロになるので、この場合には、モータ動作ステイタスを０２Ｈに変更すると共に、モータ駆動タイマの値を７００に初期設定する（Ｓ１６〜Ｓ１７）。
【０１６１】
以上の通り、モータ動作ステイタス＝０１Ｈのモータ駆動中処理において、ステップカウンタの値がゼロになったことにより、新規払出分の払出が完了する。但し、この一連の払出動作中にも、新規に制御コマンドＣＭＤ（賞球数指定コマンド）を受信している可能性があり、コマンド解析処理（ＳＴ８６）によって全賞球数カウンタの値が更新されることで、更なる払出が必要となる場合もある（例えば大当り状態の場合など）。また、払出回転体ＲＯの誤動作によって、新規払出分の払出量Ｎに過不足が生じている可能性もある。
【０１６２】
払出量が不足する場合は、払出残数カウンタがゼロになっていないので、払出モータフラグがＡ５Ｈに変更されず５ＡＨのままであるが、一方、払出モータフラグがＡ５Ｈであれば、払出残数カウンタがゼロになったことを意味する（図１５のＳＴ４７参照）。また、払出残数カウンタがゼロになった後に更に払出がされる過払い時には、払出モータフラグがＡ５Ｈであって、払出リトライフラグが５ＡＨとなっている（図１５のＳＴ４５参照）。
【０１６３】
＜モータ動作ステイタス＝０２Ｈ＞
以上を踏まえて説明を続けると、図１９に示すように、モータ動作ステイタス＝０２Ｈの状態ではモータ停止中処理が実行される。ここでは先ず、モータ駆動タイマの値が６５０以上であるか否かが判定され、６５０以上であればそのまま処理を終える（Ｓ２００）。モータ駆動タイマは、図１８（ｂ）のステップＳ１７の処理によって７００に初期設定されているので、モータ駆動タイマが７００から６５０まで低下するまでの１００ｍＳ（＝５０＊２ｍｓ）の間は、モータの駆動状態において停止状態が維持されることになる。この１００ｍＳは、払出モータＭの順方向の歩進によって払出された遊技球が、計数スイッチで把握されるまでの待機時間を意味する。
【０１６４】
そして、モータ駆動タイマが６５０未満となれば、払出モータフラグの値がＡ５Ｈであるか否かが判定される（Ｓ２０１）。払出モータフラグがＡ５Ｈであれば払出残数カウンタがゼロになったことを意味するので（ＳＴ４７）、このような場合には、モータ動作ステイタスを０２Ｈから００Ｈに変更し、モータ駆動タイマをゼロにする（Ｓ２０２〜Ｓ２０３）。また、払出モータフラグと払出検出フラグをゼロクリアする（Ｓ２０４）。
【０１６５】
一方、ステップＳ２０１の処理において、払出モータフラグ≠Ａ５Ｈと判定された場合には、未だ、払出残数カウンタがゼロになっていないことを意味する。したがって、払出モータフラグが≠Ａ５Ｈの場合には、モータ駆動タイマがゼロか否かが判定される（Ｓ２０５）。
【０１６６】
そして、モータ駆動タイマ≠０の場合には、モータ駆動タイマが３５０以下になるのを待つ（Ｓ２０６）。なお、ステップＳ２０６の判定処理が最初に実行されるタイミングでは、モータ駆動タイマの値が６４９であるから、モータ駆動タイマが９４９から３５０に至るまでの６００ｍＳのインターバルタイムは、モータの停止状態が、拘束状態で維持されることになる。
【０１６７】
このようなインターバルタイムの後、モータ駆動タイマの値が３５０以下となると、その時のモータ駆動タイマの値を、Ｚ８０ＣＰＵのＨＬレジスタに設定し（Ｓ２０７）、ＨＬレジスタの値を−５０しつつ、ＨＬレジスタの値が０になるか、それとも、負の値になるかを判定する（Ｓ２０８〜Ｓ２０９）。そして、ＨＬレジスタの値が負になると、サブルーチン処理を終えるが、ＨＬレジスタの値がゼロになれば、モータ位置を−１してサブルーチン処理を終える（Ｓ２１０）。
【０１６８】
このＳ２０７〜Ｓ２１０の処理は、モータ駆動タイマの値が、５０の倍数である３５０、３００、２５０、２００、１５０、１００、５０の場合だけ、払出モータＭを逆方向に歩進（逆転）させることを意味する。そして、モータ駆動タイマの値が５０だけ低下するのに、１００ｍＳ（＝５０＊２ｍＳ）を要するので、結局、Ｓ２０７〜Ｓ２１０の処理によって、払出モータＭは、１ステップ分が１００ｍＳの速度で、７ステップ分だけ逆転されることになる。このような処理によって、球詰まり状態が自動的に解消される可能性が高まり、その後のリトライ処理が、より効果的となる。なお、図２３には、１００ｍｓの待機時間と、６００ｍＳのインターバルタイムと、７００ｍＳの逆転動作とを図示している。
【０１６９】
続いて、ステップＳ２０５の処理によって、モータ駆動タイマの値が０になったと判定された後の動作を説明する。この場合には、先ず、その時の払出残数カウンタの値が３以上か否かが判定される（Ｓ２１１）。そして、払出残数カウンタ≧３の場合には、計数エラーカウンタをインクリメントする（Ｓ２１２）。この計数エラーカウンタの更新処理は、所定個数（例えば２５個）の払出動作の完了時に、払出不足個数が３個以上である異常事態の発生回数をカウントするための処理である。
【０１７０】
次に、計数エラータイマの値を判定し（Ｓ２１３）、もし計数エラータイマ＝０であれば、これを６００００に初期設定する。計数エラータイマは、タイマ減算処理（図７（ａ）のＳＴ８５）においてゼロになるまで、２ｍＳ毎にデクリメントされるので、２分後（＝６００００＊２ｍＳ＝１２０Ｓ）にはゼロとなる。
【０１７１】
その後、モータ動作ステイタスを０２Ｈから０３Ｈに変更すると共に、モータ駆動タイマを１２５に初期設定し、払出検出フラグをクリアする（Ｓ２１５〜Ｓ２１７）。
【０１７２】
＜モータ動作ステイタス＝０３Ｈ＞
モータ動作ステイタス＝０３Ｈの場合には、図２０に示すように、先ず、モータ駆動タイマがゼロになるのを待つ（Ｓ３０）。モータ動作ステイタスが０３Ｈに変更された段階で、モータ駆動タイマが１２５に初期設定されているので（Ｓ６，Ｓ２１６）、ここでは２５０ｍＳだけ時間消費されることになる。その後、払出検出フラグの値をチェックする（Ｓ３１）。払出検出フラグは、遊技球の払出しを確認した段階で５ＡＨに設定され（図１５のＳＴ４３）、モータ動作ステイタスが０３Ｈに変更される段階でゼロにされている（図１９のＳ２１７，図１８のＳ７）。
【０１７３】
したがって、モータリトライ処理において、払出検出フラグは最初ゼロの筈であるので、次に、モータ位置を０〜３の範囲で順方向に１つ進める（Ｓ３２）。また、リトライカウンタを＋１更新すると共に、モータ駆動タイマに１２５を設定する（Ｓ３３〜Ｓ３４）。したがって、以降、１ステップ＝２５０ｍＳ毎に駆動データを更新するリトライ処理が実行されることになる。
【０１７４】
このリトライ処理では、通常時の２／１２５倍の速度でゆっくり払出モータＭが回転する。詳細には、ステップＳ３０〜Ｓ３４より明らかなように、モータ駆動タイマの初期設定値により、２５０ｍＳ毎に１ステップ（７．５°）分だけ払出モータＭが回転し、これに対応して払出回転体ＲＯが３．７５°回転する毎に、遊技球の払出しがチェックされ、払出しを検出するまで同じ動作が繰り返えされる（Ｓ３１）。なお、遊技球の払出は、図１３のステップＲＴ４４の処理か、又は、図１５のステップＳＴ４２の処理で判定され、遊技球の払出が検出されたら、払出検出フラグが５ＡＨに設定される（ＳＴ４３）。
【０１７５】
したがって、ステップＳ３０〜Ｓ３４の処理を繰り返していると、やがて払出検出フラグが５ＡＨとなるので、この場合には次に払出モータフラグの値をチェックする（Ｓ３５）。払出モータフラグは、払出残数カウンタがゼロとなる時、つまり、不足分なく遊技球を払出した時にＡ５Ｈに設定される（図１３のＲＴ５１か、図１５のＳＴ４７）。したがって、払出モータフラグ≠Ａ５Ｈは、払出していない遊技球が存在することを意味するので、払出残数カウンタの値を１６倍した値をステップカウンタに格納する（Ｓ３６）。
【０１７６】
但し、本実施例では、リトライ処理後の払出量の上限値ＬＴを設けており、具体的には、６５５３６＞ＬＴ×１６となるよう、上限値ＬＴをＬＴ＜４０９６に設定している。したがって、払出残数カウンタを、仮に１６ビット長に制限しても、連続して大量の賞球が得られる大当り状態において、払出残数カウンタがオーバーフローして賞球数が消滅するおそれはない。なお、払出量の上限値ＬＴは、上限値ＬＴ＝４０９５に設定されているので、払出残数カウンタの最大値は、６５５２０となるが、ステップＳ３６の処理に続いて、モータ動作ステイタスを０３Ｈから０１Ｈに変更して、リトライカウンタをクリアすると共に、モータ駆動タイマに２を設定する（Ｓ３７，Ｓ３８）。この設定処理の結果、これ以降は、１ステップ＝４ｍＳ毎に駆動データを更新する通常のモータ回転が開始されることになる。
【０１７７】
ところで、ステップＳ３５の判定において払出モータフラグ＝Ａ５Ｈとなった場合は、モータ動作ステイタスを０３Ｈから００Ｈに変更する（Ｓ３９）。払出しを検出した状態（払出検出フラグ＝５ＡＨ）で、払出モータフラグがＡ５Ｈであるということは、モータ動作ステイタス＝０３Ｈの状態で１個の遊技球を払出し、且つ払出残数カウンタがゼロとなったことを意味する（ＳＴ４７参照）。つまり、不足分の払出しが完了したことを意味するので、モータ動作ステイタスを０３Ｈから００Ｈに変更して、その後、改めて払出動作が必要となる時期まで待機させるのである。そのため、リトライカウンタ、払出モータフラグ、及び払出検出フラグの値を全てゼロにする（Ｓ４０）。
【０１７８】
次に、図２１に基づいてデータ出力処理（図７（ａ）のＳＴ９２）について説明する。データ出力処理では、先ず、モータ処理ＳＴ９１（詳細には図１７のＳＴ６６）で用意されたモータ駆動データをＭＯＯＵＴ番地から取得する（ＳＴ７０）。なお、モータ駆動データは２進数で０１０１，０１１０，１０１０，１００１の何れかであり、それらが図４に示すように出力されることで払出モータＭが順方向又は逆方向に回転する。なお、この実施例では、通常時、払出モータＭの１ステップの回転時間が４ｍＳに設定され、１６ステップ分のデータ駆動データの出力によって払出回転体ＲＯが６０°回転して遊技球を１個払出すように設定されている。
【０１７９】
ステップＳＴ７０の処理によって、モータ駆動データがＢレジスタに用意されたら、計数スイッチ断線エラーＬＥＤフラグ、リトライエラーＬＥＤフラグ、計数エラーＬＥＤフラグの何れかが、５ＡＨにセットされているか否かが判定される（ＳＴ７１）。リトライエラーＬＥＤフラグとは、払出不能状態が所定時間継続した場合に、異常ランプＥＲ１（図５参照）を点灯させるためのフラグである。また、計数スイッチ断線エラーＬＥＤフラグや計数エラーＬＥＤフラグは、計数スイッチの断線異常時や、計数エラー発生時に異常ランプＥＲ１や異常ランプＥＲ２を点灯させるためのフラグである。したがって、リトライエラーＬＥＤフラグや計数スイッチ断線エラーＬＥＤフラグが５ＡＨであれば、Ｂレジスタのｂｉｔ４を１にセットする（ＳＴ７２）。また、計数エラーＬＥＤフラグが５ＡＨであれば、Ｂレジスタのｂｉｔ５を１にセットする（ＳＴ７２）。なお、各ＬＥＤフラグが５ＡＨでない場合には、該当ｂｉｔはゼロのままである。
【０１８０】
次にＢレジスタのｂｉｔ７を１に設定し（ＳＴ７３）、Ｂレジスタの値を、第１出力ポート１６に出力する（ＳＴ７４）。この結果、払出モータＭには駆動データが出力されると共に、異常ランプＥＲ１，ＥＲ２が点灯又は消灯する。また、Ｂレジスタのｂｉｔ７は、ウォッチドッグタイマに出力される。そして、時間消費処理（ＳＴ７５）の後、ｂｉｔ７をゼロに戻して、第１出力ポート１６から再出力することで（ＳＴ７６）、ウォッチドッグタイマがゼロクリアされる。但し、プログラムの暴走によって、本来２ｍＳ毎に実行されるべきデータ出力処理（ＳＴ９２）が実行されなくなると、ウォッチドッグタイマ回路の動作に基づいてＣＰＵが強制的にリセットされる。
【０１８１】
何れにしてもステップＳＴ７６の処理に続いて、ＰＲＤＹフラグ、ＥＸＥフラグ、リトライエラーフラグ、計数エラーフラグ、補給切れエラーフラグ、及び満杯球詰りエラーフラグを参照して、該当ビットをセットしたデータを、第２出力ポート１７に出力する（ＳＴ７８）。この動作の結果、ＰＲＤＹ信号やＥＸＥ信号が球貸し機２２に出力され、また、払出不足エラー信号や、補給切れ信号や、満杯球詰り信号が、主制御部１に出力されることがある。なお、補給切れ信号や満杯球詰り信号を受けた主制御部１では、異常報知ＬＥＤランプＰ２，Ｐ３（図２４参照）を点灯させる。
【０１８２】
最後に、本発明が好適に適用される弾球遊技機について確認的に説明する。図２４は、本実施例のパチンコ機２１を示す斜視図であり、図２５は、同パチンコ機２１の側面図である。なお、パチンコ機２１は、球貸し機２２に電気的に接続された状態で、パチンコホールの島構造体の長さ方向に複数個が配設されている。球貸し機２２は、遊技開始に先立って現金を受け取り、遊技終了時には、残金に対応する数値を記憶したカードを排出するようになっている。
【０１８３】
図示のパチンコ機２１は、島構造体に着脱可能に装着される矩形枠状の木製外枠２３と、外枠２３に固着されたヒンジＨを介して開閉可能に枢着される前枠２４とで構成されている。この前枠２４には、遊技盤２５が裏側から着脱自在に装着され、その前側には、ガラス扉２６と前面板２７とが夫々開閉自在に枢着されている。
【０１８４】
前面板２７には発射用の遊技球を貯留する上皿２８が装着され、前枠２４の下部には、上皿２８に連通した下皿２９と、発射ハンドル３０とが設けられている。この実施例では、発射ハンドル３０の回動角度に対応して、ロータリソレノイドＳＬ１の駆動電流が変化するよう構成されており、ロータリソレノイドＳＬ１の駆動電流に対応する強度で、打撃槌３１が間欠的に動作して遊技球が発射される。なお、上皿２８の遊技球は、打撃槌３１による発射位置に誘導される一方、溢れた遊技球は自動的に下皿２９に誘導される。
【０１８５】
上皿２８の右部には、球貸し機２２に対する球貸し操作用の操作パネル３２が設けられ、この操作パネル３２には、球貸し機２２の残金の１／１００の値を３桁の数字で表示する残金表示部３２ａと、所定金額（例えば５００円）分の遊技球の球貸しを指示する球貸しスイッチ３２ｂと、ゲーム終了時に押圧される返却スイッチ３２ｃとが設けられている。なお、返却スイッチ３２ｃを押圧すると、残金に対応するカードが球貸し機２２から排出される。
【０１８６】
ガラス扉２６の上部には、大当り状態を示す大当りＬＥＤランプＰ１が配置されている。また、この大当りＬＥＤランプＰ１に近接して、補給切れ状態や満杯球詰り状態を示す異常報知ＬＥＤランプＰ２，Ｐ３が設けられている。
【０１８７】
図２６に示すように、遊技盤２５には、金属製の外レールと内レールとからなるガイドレール３３が環状に設けられ、その内側の遊技領域２５ａの略中央には、表示装置８（具体的には液晶カラーディスプレイ）が配置されている。また、遊技領域２５ａの適所には、図柄始動口３５、大入賞口３６、複数個の普通入賞口３７（大入賞口３６の左右に４つ）、２つの通過口であるゲート部３８が配設されている。これらの入賞口３５〜３８は、それぞれ内部に検出スイッチを有しており、遊技球の通過を検出できるようになっている。
【０１８８】
表示装置８は、大当り状態に係わる特定図柄を変動表示すると共に背景画像や各種のキャラクタなどをアニメーション的に表示する装置である。この表示装置８は、中央部に特別図柄表示部Ｄａ〜Ｄｃと右上部に普通図柄表示部３９を有している。普通図柄表示部３９は普通図柄を表示するものであり、ゲート部３８を通過した遊技球が検出されると、表示される普通図柄が所定時間だけ変動し、遊技球のゲート部３８の通過時点において抽出された抽選用乱数値により決定される停止図柄を表示して停止するようになっている。
【０１８９】
図柄始動口３５は、左右１対の開閉爪３５ａを備えた電動式チューリップで開閉されるよう例えば構成され、普通図柄表示部３９の変動後の停止図柄が当り図柄を表示した場合には、開閉爪３５ａが所定時間だけ開放されるようになっている。そして、図柄始動口３５に遊技球が入賞すると、特別図柄表示部Ｄａ〜Ｄｃの表示図柄が所定時間だけ変動し、図柄始動口３５への遊技球の入賞タイミングに応じた抽選結果に基づいて決定される停止図柄で停止する。
【０１９０】
大入賞口３６は、例えば前方に開放可能な開閉板３６ａで開閉制御されるが、特別図柄表示部Ｄａ〜Ｄｃの図柄変動後の停止図柄が「７７７」などの大当り図柄のとき、「大当り」と称する特別遊技が開始され、開閉板３６ａが開放されるようになっている。大入賞口３６の内部には入賞球を検出する入賞領域３６ｂが存在する。
【０１９１】
大入賞口３６の開閉板３６ａが開放された後、所定時間が経過し、又は所定数（例えば１０個）の遊技球が入賞すると開閉板３６ａが閉じる。このとき、最大で例えば１５回まで特別遊技が継続され、遊技者に有利な状態に制御される。さらに、変動後の停止図柄が特別図柄のうちの特別状態発生図柄であった場合には、特別状態を発生させる。
【０１９２】
図２７に示すように、前枠２４の裏側には、遊技盤２５を裏側から押さえる裏機構板４０が着脱自在に装着されている。この裏機構板４０には開口部４０ａが形成され、その上側に賞球タンク４１と、これから延びるタンクレール４２とが設けられている。裏機構板４０の側部には、タンクレール４２に接続された払出装置４３が設けられ、裏機構板４０の下側には払出装置４３に接続された通路ユニット４４が設けられている。払出装置４３から払出された遊技球は、通路ユニット４４を経由して上皿排出口２８ａ（図２４）から上皿２８に払出されることになる。
【０１９３】
裏機構板４０の開口部４０ａには、遊技盤２５の裏側に装着された裏カバー４５と、入賞口３５〜３７に入賞した遊技球を排出する入賞球排出樋（不図示）とが嵌合されている。この裏カバー４５に装着されたケースＣＡ１の内部に主制御基板１が配設される（図２７参照）。
【０１９４】
これらケースＣＡ２，ＣＡ３の下側で、裏機構板４０に装着されたケースＣＡ４の内部には、電源基板７と払出制御基板５が設けられている。この電源基板７には、電源スイッチ５３とＲＡＭクリアスイッチ５４とが配置されている。これら両スイッチ５３，５４に対応する部位は切欠かれ、両スイッチを指で同時に操作可能になっている。発射ハンドル３０の後側に装着されたケースＣＡ５の内部には、発射制御基板６が設けられている。
【０１９５】
以上、本発明の実施例について具体的に説明したが、記載内容は特に本発明を限定するものではない。例えば、実施例では、弾球遊技機について説明したが、パチンコ機、アレンジボール機、雀球遊技機のみならず、メダルを用いる回胴遊技機や、遊技球を用いる回胴遊技機にも適用できるのは勿論である。
【符号の説明】
【０１９６】
１        主制御部
５        サブ制御部
２１      遊技機
２２      外部機器
４３      払出装置
ＳＷ      操作スイッチ
Ｓ２１１〜Ｓ２１２            計数手段
Ｓ７１３，ＳＴ６５，ＳＴ７４  報知手段
Ｓ７１６，ＳＴ３１            再開手段
【図１】
0005502500.tif 000002
【図２】
0005502500.tif 000003
【図３】
0005502500.tif 000004
【図４】
0005502500.tif 000005
【図５】
0005502500.tif 000006
【図６】
0005502500.tif 000007
【図７】
0005502500.tif 000008
【図８】
0005502500.tif 000009
【図９】
0005502500.tif 000010
【図１０】
0005502500.tif 000011
【図１１】
0005502500.tif 000012
【図１２】
0005502500.tif 000013
【図１３】
0005502500.tif 000014
【図１４】
0005502500.tif 000015
【図１５】
0005502500.tif 000016
【図１６】
0005502500.tif 000017
【図１７】
0005502500.tif 000018
【図１８】
0005502500.tif 000019
【図１９】
0005502500.tif 000020
【図２０】
0005502500.tif 000021
【図２１】
0005502500.tif 000022
【図２２】
0005502500.tif 000023
【図２３】
0005502500.tif 000024
【図２４】
0005502500.tif 000025
【図２５】
0005502500.tif 000026
【図２６】
0005502500.tif 000027
【図２７】
0005502500.tif 000028